(57)【特許請求の範囲】
【請求項１】
第１表示態様で再生されている番組について、表示態様を前記第１表示態様から第２表示態様へ変更することを示す変更指示を受け付ける受付手段と、
前記番組について再生対象となるストリームを、第１表示態様に対応する第１のストリームから前記第２表示態様に対応する第２のストリームへ切り替えることの許否を示す切替許否情報を受信する受信手段と、
前記受付手段が前記変更指示を受け付けると、前記切替許否情報を用いて前記第１表示態様から前記第２表示態様への切り替えの許否を判断する判断手段と、
前記判断手段で切り替えを許可すると判断される場合には再生対象のストリームを前記第１のストリームから前記第２のストリームへと切り替えて再生を行い、前記判断手段で切り替えを許可しないと判断される場合には前記第１のストリームを用いた再生を行う再生処理手段とを備える
ことを特徴とする受信再生装置。
【請求項２】
前記第１のストリームは、ＭＰＥＧ２−ＴＳ（Ｍｏｖｉｎｇ  Ｐｉｃｔｕｒｅ  Ｅｘｐｅｒｔｓ  Ｇｒｏｕｐ  ２−Ｔｒａｎｓｐｏｒｔ  Ｓｔｒｅａｍ）形式のデータストリームであり、
前記切替許否情報は、前記第１のストリームに対応するＥＩＴ（Ｅｖｅｎｔ  Ｉｎｆｏｒｍａｔｉｏｎ  Ｔａｂｌｅ）に記載されており、
前記判断手段は、前記ＥＩＴから前記切替許否情報を取得して、前記判断を行う
ことを特徴とする請求項１に記載の受信再生装置。
【請求項３】
前記第１表示態様は、３Ｄによる表示態様であり、前記第２表示態様は、２Ｄによる表示態様であり、
前記第１のストリームは３Ｄ映像のストリームであり、前記第２のストリームは２Ｄ映像のストリームであり、
前記再生処理手段は、
前記判断手段で前記第１表示態様から前記第２表示態様への切り替えを許可すると判断される場合には前記２Ｄ映像のストリームを用いた再生を行い、前記判断手段で切り替えを許可しないと判断される場合には前記３Ｄ映像のストリームを用いて２Ｄ表示するよう再生を行う
ことを特徴とする請求項２に記載の受信再生装置。
【請求項４】
前記第１表示態様は、２Ｄによる表示態様であり、前記第２表示態様は、３Ｄによる表示態様であり、
前記第１のストリームは２Ｄ映像のストリームであり、前記第２のストリームは３Ｄ映像のストリームであり、
前記再生処理手段は、
前記判断手段で前記第１表示態様から前記第２表示態様への切り替えを許可すると判断される場合には前記３Ｄ映像のストリームを用いた再生を行い、前記判断手段で切り替えを許可しないと判断される場合には前記２Ｄ映像のストリームを用いて３Ｄ表示するよう再生を行う
ことを特徴とする請求項２に記載の受信再生装置。
【請求項５】
前記第１の表示態様は、第１の解像度による映像の表示態様であり、前記第２の表示態様は、解像度が前記第１の解像度よりも低い第２の解像度による映像の表示態様であり、
前記再生処理手段は、
前記判断手段で前記第１表示態様から前記第２表示態様への切り替えを許可すると判断される場合には前記第２の解像度に対応する前記第２のストリームを用いた再生を行い、前記判断手段で切り替えを許可しないと判断される場合には前記第１の解像度に対応する前記第１のストリームを用いた再生を行う
ことを特徴とする請求項１に記載の受信再生装置。
【請求項６】
前記受信再生装置は、さらに、
番組を録画する録画手段を備え、
前記録画手段は、
前記第１の解像度による映像の録画が不可である場合であって、前記判断手段で前記第１表示態様から前記第２表示態様への切り替えを許可すると判断される場合には、前記第２の解像度による映像の録画を行う
ことを特徴とする請求項５に記載の受信再生装置。
【請求項７】
前記第１の表示態様は、第１の解像度による映像の表示態様であり、前記第２の表示態様は、解像度が前記第１の解像度よりも高い第２の解像度による映像の表示態様であり、
前記再生処理手段は、
前記判断手段で前記第１表示態様から前記第２表示態様への切り替えを許可すると判断される場合には前記第２の解像度に対応する前記第２のストリームを用いた再生を行い、前記判断手段で切り替えを許可しないと判断される場合には前記第１の解像度に対応する前記第１のストリームを用いた再生を行う
ことを特徴とする請求項１に記載の受信再生装置。
【請求項８】
前記第２のストリームで形成される前記番組は複数のブロックに分割されており、
前記切替許否情報は、前記複数のブロックそれぞれについて当該ブロックの期間が表された期間情報のうち、少なくとも１つの期間情報を含んでおり、
前記判断手段は、前記変更指示が受け付けられた時間が前記切替許否情報に含まれる期間情報で表される期間に属するか否かを判断し、属すると判断する場合には切り替えを許可すると、属しないと判断する場合には切り替えを許可しないと判断する
ことを特徴とする請求項１に記載の受信再生装置。
【請求項９】
一の番組について受信側で再生対象となるストリームを、第１表示態様に対応する第１のストリームから第２表示態様に対応する第２のストリームへの切り替えることの許否を示す切替許否情報を保持している保持手段と、
前記切替許否情報を送信する送信手段とを備える
ことを特徴とする送信装置。
【請求項１０】
前記第１のストリームは、ＭＰＥＧ２−ＴＳ（Ｍｏｖｉｎｇ  Ｐｉｃｔｕｒｅ  Ｅｘｐｅｒｔｓ  Ｇｒｏｕｐ  ２−Ｔｒａｎｓｐｏｒｔ  Ｓｔｒｅａｍ）形式のストリームであり、
前記保持手段は、
前記切替許否情報が記載された、前記第１のストリームに対応するＥＩＴ（Ｅｖｅｎｔ  Ｉｎｆｏｒｍａｔｉｏｎ  Ｔａｂｌｅ）を保持し、
前記送信手段は、前記第１のストリームと、前記ＥＩＴとが少なくとも多重化されたデータストリームを送信する
ことを特徴とする請求項９に記載の送信装置。
【請求項１１】
受信再生装置で用いられる受信再生方法であって、
第１表示態様で再生されている番組について、表示態様を前記第１表示態様から第２表示態様へ変更することを示す変更指示を受け付ける受付ステップと、
前記番組について再生対象となるストリームを、第１表示態様に対応する第１のストリームから前記第２表示態様に対応する第２のストリームへ切り替えることの許否を示す切替許否情報を受信する受信ステップと、
前記受付ステップが前記変更指示を受け付けると、前記切替許否情報を用いて前記第１表示態様から前記第２表示態様への切り替えの許否を判断する判断ステップと、
前記判断ステップで切り替えを許可すると判断される場合には再生対象のストリームを前記第１のストリームから前記第２のストリームへと切り替えて再生を行い、前記判断ステップで切り替えを許可しないと判断される場合には前記第１のストリームを用いた再生を行う再生処理ステップとを含む
ことを特徴とする受信再生方法。
【請求項１２】
送信装置で用いられる送信方法であって、
一の番組について受信側で再生対象となるストリームを、第１表示態様に対応する第１のストリームから第２表示態様に対応する第２のストリームへの切り替えることの許否を示す切替許否情報を保持している保持ステップと、
前記切替許否情報を送信する送信ステップとを含む
ことを特徴とする送信方法。
【発明の詳細な説明】
【技術分野】
【０００１】
本発明は、同一内容の番組について互いに異なる表示態様のストリームを送信する装置、及び受信し再生する装置に関するものである。
【背景技術】
【０００２】
テレビ放送におけるデジタル化により、画像がより高画質化するとともに、新たに３Ｄ視聴方式の番組（以下、３Ｄ番組という。）も出てきている。３Ｄ番組では、サイドバイサイド（ＳＢＳ）方式と呼ばれる３Ｄ映像の再生方式が主に利用されている（特許文献１参照）。【０００３】
ＳＢＳ方式とは、左目用映像と右目用映像をそれぞれ水平方向に１／２に圧縮した映像を２つ横に並べた１枚の画像が放送局側（送信装置）から送信され、３Ｄ映像の再生が可能な受信機側（デジタルテレビ）において、受信した画像を左目用映像と右目用映像に分割し、左右の映像をそれぞれ引き伸ばして交互に再生（表示）する方式である。【０００４】
ＳＢＳ方式では、２つの映像（左目用映像、右目用映像）をそれぞれ水平方向に１／２に圧縮しているため、３Ｄ映像として視聴する場合には原理上Ｈａｌｆ  ＨＤの解像度（Ｆｕｌｌ  ＨＤの解像度の半分の解像度）でしか見ることができない。【０００５】
そこで、３Ｄ映像をＦｕｌｌ  ＨＤの解像度で視聴可能とするための方式として、左目用映像と右目用映像をそれぞれＦｕｌｌ  ＨＤで独立に送出する方式がある。ただし、この方式では、独立した２つの映像ストリームを送出することは非常に多くの伝送帯域を必要とする。この方式として、例えば、ＭＰＥＧ４−ＭＶＣ（Ｍｕｌｔｉｖｉｅｗ  Ｖｉｄｅｏ Ｃｏｄｉｎｇ）方式がある（以下、ＭＶＣ方式という。）。ＭＶＣ方式では、３Ｄの右目用映像が左目用映像と相関が大きいことを利用して、効率よい圧縮を行うので、Ｆｕｌｌ  ＨＤの３Ｄ映像を有効な帯域内で効率よく伝送できる。そのため、３Ｄ番組が配信された際の再生方式として有望視されている。【０００６】
今後、デジタルテレビ放送において３Ｄ番組が増加し、各家庭においても３Ｄ番組を視聴可能な３Ｄ対応デジタルテレビが普及する可能性がある。
【先行技術文献】
【特許文献】
【０００７】
【特許文献１】日本特許第３７８９７９４号公報
【発明の概要】
【発明が解決しようとする課題】
【０００８】
しかしながら、３Ｄ番組を視聴している視聴者は、３Ｄ映像による視聴を所望しないことがある。例えば、ある３Ｄ番組について長時間視聴することによる目の疲れなどにより、現在視聴中の３Ｄ番組を２Ｄで視聴したい場合である。【０００９】
また、逆に、２Ｄ番組を視聴している視聴者は、平面的な映像より立体感のある映像で視聴中の番組を楽しみたいと考えることもある。【００１０】
そこで、本発明は、一の番組について視聴者が所望する表示態様に応じた再生を可能とする受信再生装置、送信装置、受信再生方法及び送信方法を提供することを目的とする。
【課題を解決するための手段】
【００１１】
上記目的を達成するために、本発明は、受信再生装置であって、第１表示態様で再生されている番組について、表示態様を前記第１表示態様から第２表示態様へ変更することを示す変更指示を受け付ける受付手段と、前記番組について再生対象となるストリームを、第１表示態様に対応する第１のストリームから前記第２表示態様に対応する第２のストリームへ切り替えることの許否を示す切替許否情報を受信する受信手段と、前記受付手段が前記変更指示を受け付けると、前記切替許否情報を用いて前記第１表示態様から前記第２表示態様への切り替えの許否を判断する判断手段と、前記判断手段で切り替えを許可すると判断される場合には再生対象のストリームを前記第１のストリームから前記第２のストリームへと切り替えて再生を行い、前記判断手段で切り替えを許可しないと判断される場合には前記第１のストリームを用いた再生を行う再生処理手段とを備えることを特徴とする。
【発明の効果】
【００１２】
上記構成によると、受信再生装置は、第１表示態様から第２表示態様への切り替えが許可される場合に、表示態様を第１表示態様から第２表示態様へと切り替えるので、一の番組について視聴者が所望する表示態様に応じた再生を行うことができる。
【図面の簡単な説明】
【００１３】
【図１】番組配信システム１０の構成を示す図である。
【図２】送信装置１００の構成を示すブロック図である。
【図３】ＴＳ３００に含まれるＳＤＴ３０１の記述例を示す図である。
【図４】ＴＳ３００に含まれるＥＩＴ３０２、３０３の記述例を示す図である。
【図５】デジタルテレビ（受信再生装置）２００の構成を示すブロック図である。
【図６】番組情報管理部２０３の構成を示すブロック図である。
【図７】番組情報テーブルＴ１００のデータ構造の一例を示す図である。
【図８】（ａ）、（ｂ）は、切替指示を受け付ける（ａ）に示すリモコン２５０、２５０ａを示す図である。
【図９】送信装置１００の動作を示す流れ図である。
【図１０】受信再生装置２００の動作を示す図である。
【図１１】受信再生装置２００で表示されるＥＰＧ４００の一例を示す図である。
【図１２】サイマル放送番組として関連付けられている２Ｄ番組と３Ｄ番組との切り替えを説明する図である。
【図１３】ｔｉｍｅとｄｕｒａｔｉｏｎとの組を用いた場合における切り替えの可否を説明する図である。
【図１４】サイマル放送である２つの番組（２Ｄ番組と３Ｄ番組）の放送時間が異なる場合において、ｔｉｍｅとｄｕｒａｔｉｏｎとの組を用いた切り替えの可否を説明する図である。
【図１５】ｔｉｍｅとｖａｌｉｄｉｔｙ＿ｆｌａｇとの組を用いた場合のＥＩＴ３０２ａ、３０３ａの記述例を示す図である。
【図１６】ｔｉｍｅとｖａｌｉｄｉｔｙ＿ｆｌａｇとの組を用いた場合における切り替えの可否を説明する図である。
【図１７】サイマル放送である２つの番組（２Ｄ番組と３Ｄ番組）の放送時間が異なる場合において、ｔｉｍｅとｖａｌｉｄｉｔｙ＿ｆｌａｇとの組を用いた切り替えの可否を説明する図である。
【図１８】サイマル放送である２つの番組（２Ｄ番組と３Ｄ番組）の放送時間が異なる場合において、ｔｉｍｅとｖａｌｉｄｉｔｙ＿ｆｌａｇとの組を用いたＥＩＴ３０２ａ、３０３ａの記述例を示す図である。
【図１９】サイマル放送における２つの番組が個別のＴＳ（ＴＳ１３００ａ、ＴＳ１３００ｂ）により配信される場合におけるＳＤＴ１３０１ａ、ＳＤＴ１３０１ｂの記述例を示す図である。
【図２０】サイマル放送における２つの番組が個別のＴＳ（ＴＳ１３００ａ、ＴＳ１３００ｂ）により配信される場合におけるＥＩＴ１３０２ａ、ＥＩＴ１３０３ｂの記述例を示す図である。
【図２１】受信再生装置２００における動作の変形例を示す図である。
【図２２】サイマル放送である２つの番組（２Ｄ番組と３Ｄ番組）の放送時間が異なる場合において、ｔｉｍｅとｄｕｒａｔｉｏｎとの組を用いた切り替えの可否の変形例を説明する図である。
【図２３】サイマル放送である２つの番組（２Ｄ番組と３Ｄ番組）の放送時間が異なる場合において、ｔｉｍｅとｖａｌｉｄｉｔｙ＿ｆｌａｇとの組を用いた切り替えの可否の変形例を説明する図である。
【発明を実施するための形態】
【００１４】
１．概要
上述したように、視聴者は、ある表示態様で番組を視聴中に他の表示態様で当該番組を視聴したいと考えることがある。
【００１５】
例えば、視聴者がＳＢＳ方式による３Ｄ番組の視聴から２Ｄ映像への視聴へと切り替えたいと考える場合、デジタルテレビなどのような受信再生装置は、受信したＳＢＳ方式による画像を左目用映像と右目用映像とに分割し、どちらか一方の映像（例えば左目用映像）を水平方向に２倍して表示することができる。しかしながら、ＳＢＳ方式では、２つの映像（左目用映像、右目用映像）をそれぞれ水平方向に１／２に圧縮しているため、解像度はＦｕｌｌ  ＨＤの解像度の１／２である。そのため、このような表示態様の切替方法では、引き伸ばされた解像度の劣化した映像をユーザに視聴させることとなる。つまり、ユーザに対してＦｕｌｌ  ＨＤの２Ｄ映像を提供することができない。
【００１６】
そこで、放送局側では、一の番組について２Ｄ再生用のストリームと、３Ｄ再生用のストリームの双方を放送するサイマル放送を行うことが考えられる。
【００１７】
しかしながら、サイマル放送として２Ｄ再生用のストリームと３Ｄ再生用のストリームの双方が存在するからといって、無条件に切り替えを認めることは得策ではない。なぜなら、同一の番組であっても、２Ｄ映像よりも３Ｄ映像により迫力を持たせるために、２Ｄ再生用のストリームのあるシーンについて、同一時間での３Ｄ再生用のストリームのシーンとでは映像の内容（画角、撮影方向（アングル）等）が異なることがある。例えば、３Ｄ映像においてはより立体的に表示するために、２Ｄ映像とは異なる視点で撮影した場合である。そして、このようなシーンでの切り替えが発生すると、視聴者は違和感を抱く恐れがある。
【００１８】
そのため、受信再生装置側では、２Ｄ再生用のストリームと３Ｄ再生用のストリームとの切り替えを制御する必要がある。
【００１９】
そこで、発明者らが鋭意検討して本発明に至った。
【００２０】
本発明の一態様によれば、受信再生装置は、第１表示態様で再生されている番組について、表示態様を前記第１表示態様から第２表示態様へ変更することを示す変更指示を受け付ける受付手段と、前記番組について再生対象となるストリームを、第１表示態様に対応する第１のストリームから前記第２表示態様に対応する第２のストリームへ切り替えることの許否を示す切替許否情報を受信する受信手段と、前記受付手段が前記変更指示を受け付けると、前記切替許否情報を用いて前記第１表示態様から前記第２表示態様への切り替えの許否を判断する判断手段と、前記判断手段で切り替えを許可すると判断される場合には再生対象のストリームを前記第１のストリームから前記第２のストリームへと切り替えて再生を行い、前記判断手段で切り替えを許可しないと判断される場合には前記第１のストリームを用いた再生を行う再生処理手段とを備えることを特徴とする。
【００２１】
２．第１の実施の形態
以下、図面を参照しながら、本実施の形態について詳細に説明する。
【００２２】
２．１  概要
本実施の形態に係る番組配信システム１０は、図１に示すように、送信装置１００と、デジタルテレビ（受信再生装置）２００とから構成される。
【００２３】
デジタルテレビ放送では、送信装置１００（放送局）からの放送信号は、ＭＰＥＧシステム規格によって規定されるトランスポートストリーム（ＴＳ）形式で映像・音声ストリームおよび番組配列情報が多重化されて送出される。ここで、番組配列情報とは、ＴＳの伝送ネットワーク情報、放送局およびチャンネル（サービス）の詳細情報、および番組詳細情報などが記載されたＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）のことである。
【００２４】
送信装置１００は、ビデオストリーム、オーディオストリーム等が多重化されたトランスポートストリーム（ＴＳ）３００を送信する。本実施の形態では、送信装置１００（放送局）側から送出されるＴＳ３００は、従来の２Ｄデジタル放送で運用されているようにＭＰＥＧ２−ＴＳ（Ｍｏｖｉｎｇ  Ｐｉｃｔｕｒｅ  Ｅｘｐｅｒｔｓ  Ｇｒｏｕｐ  ２−Ｔｒａｎｓｐｏｒｔ  Ｓｔｒｅａｍ）に準拠したトランスポートストリームである。ＭＰＥＧ２−ＴＳに準拠したトランスポートストリームは、１つ以上のビデオ・オーディオストリームと、各ビデオ・オーディオストリームがどのプログラム（番組）に属するかを記したＰＳＩを含んでいる。ＰＳＩには、ＴＳ内に含まれるプログラム一覧を示すＰＡＴ（Ｐｒｏｇｒａｍ  Ａｓｓｏｃｉａｔｉｏｎ  Ｔａｂｌｅ）、あるプログラム内に属する映像・音声などのストリームのＰＩＤ（パケットＩＤ）を格納したＰＭＴ（Ｐｒｏｇｒａｍ  Ｍａｐ  Ｔａｂｌｅ）などがある。
【００２５】
さらにＭＰＥＧ２−ＴＳに準拠したトランスポートストリームには、ネットワーク情報や編成チャンネル情報・番組情報に関して記述されているＳＩが含まれる。
【００２６】
ＳＩには、ＮＩＴ（Ｎｅｔｗｏｒｋ  Ｉｎｆｏｒｍａｔｉｏｎ  Ｔａｂｌｅ：ネットワーク情報テーブル）、ＳＤＴ（Ｓｅｒｖｉｃｅ  Ｄｅｓｃｒｉｐｔｉｏｎ  Ｔａｂｌｅ：サービス記述テーブル）及びＥＩＴ（Ｅｖｅｎｔ  Ｉｎｆｏｒｍａｔｉｏｎ  Ｔａｂｌｅ：イベント情報テーブル）等のテーブルが含まれている。
【００２７】
ＮＩＴには、送出されたＴＳが経由するネットワークに関する情報（チャンネル番号、変調方式など）が記述されている。
【００２８】
ＳＤＴには、送出されるＴＳ内に存在する編成チャンネルに関する情報（チャンネル名称、番組情報の種類、デジタルコピー制御情報など）が記載されている。
【００２９】
ＥＩＴには、各編成チャンネルに含まれる番組に関する詳細情報（番組名称、放送日時、放送内容など）が記載されている。
【００３０】
デジタルテレビなどの放送受信機は、ＳＩに記載された情報を利用することによって、電子番組表（Ｅｌｅｃｔｒｏｎｉｃ  Ｐｒｏｇｒａｍ  Ｇｕｉｄｅ：ＥＰＧ）を作成することができる。
【００３１】
なお、各ＳＩに記載される記述子の運用方法は、各国ごとの運用規定に従うものとするが、本実施の形態では、日本におけるＡＲＩＢ（Ｔｈｅ  Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）で規定される標準規格および運用規定を範として、新たに拡張する方法を提案する。
【００３２】
受信再生装置２００は、放送局（送信装置１００）が送出する放送波からＴＳ３００を受信し、ＴＳ３００に多重化されているビデオ・オーディオストリームと番組配列情報を含むＳＩ等を分離する。
【００３３】
受信再生装置２００は、分離されたＳＩ等のＰＳＩ／ＳＩの各情報から、電子番組表（ＥＰＧ）を作成する。構成されたＥＰＧの各情報からは、それぞれにビデオ・オーディオストリームへのリンク情報が関連付けられており、ユーザはＥＰＧから視聴したい番組を選択することにより、所望する番組の映像・音声を視聴することができる。ここで、受信再生装置２００は、２Ｄ表示及び３Ｄ表示の双方に対応した装置である。
【００３４】
２．２  送信装置１００の構成
送信装置１００は、一の番組について、３Ｄ映像を表示するためのビデオストリーム（以下、３Ｄ用ビデオストリームという。）と、２Ｄ映像を表示するためのビデオストリーム（以下、２Ｄ用ビデオストリームという。）を生成し、各ストリームを同時刻に配信することで、一の番組についてサイマル放送を提供するものである。
【００３５】
送信装置１００は、図２に示すように、３Ｄ用ビデオエンコーダ１０１、２Ｄ用ビデオエンコーダ１０２、オーディオエンコーダ１０３、３Ｄ用ビデオストリーム格納部１０４、２Ｄ用ビデオストリーム格納部１０５、オーディオストリーム格納部１０６、多重化部１０７、送信部１０８及び番組配列情報格納部１０９から構成されている。
【００３６】
（１）３Ｄ用ビデオエンコーダ１０１
３Ｄ用ビデオエンコーダ１０１は、一の番組について３Ｄ表示用の複数の映像（ピクチャ）について、ＭＰＥＧ−２、ＭＰＥＧ−４などの方式を使って符号化して、３Ｄ用ビデオストリームを生成し、３Ｄ用ビデオストリーム格納部１０４へ書き込む。
【００３７】
ここで、３Ｄ用ビデオエンコーダ１０１は、３Ｄ映像の再生方式に応じて、例えばＳｉｄｅ−ｂｙ−Ｓｉｄｅ（以下、ＳＢＳという。）方式であるか、ＭＰＥＧ４−ＭＶＣ（以下、単にＭＶＣという。）方式であるのかに応じて、各映像を符号化する。なお、各方式に応じた符号化が公知であるため、ここでの説明は省略する。
【００３８】
（２）２Ｄ用ビデオエンコーダ１０２
２Ｄ用ビデオエンコーダ１０２は、前記一の番組について２Ｄ表示用の複数の映像（ピクチャ）について、ＭＰＥＧ−２、ＭＰＥＧ−４などの方式を使って符号化して、２Ｄ用ビデオストリームを生成し、２Ｄ用ビデオストリーム格納部１０５へ書き込む。
【００３９】
（３）オーディオエンコーダ１０３
オーディオエンコーダ１０３は、音声データを、リニアＰＣＭなどの方式で圧縮・符号化して、オーディオストリームを生成し、オーディオストリーム格納部１０６へ書き込む。
【００４０】
（４）３Ｄ用ビデオストリーム格納部１０４
３Ｄ用ビデオストリーム格納部１０４は、３Ｄ用ビデオエンコーダ１０１で生成された３Ｄ用ビデオストリームを格納するための記憶領域である。
【００４１】
（５）２Ｄ用ビデオストリーム格納部１０５
２Ｄ用ビデオストリーム格納部１０５は、２Ｄ用ビデオエンコーダ１０２で生成された２Ｄ用ビデオストリームを格納するための記憶領域である。
【００４２】
（６）オーディオストリーム格納部１０６
オーディオストリーム格納部１０６は、オーディオエンコーダ１０３で生成されたオーディオストリームを格納するための記憶領域である。
【００４３】
（７）番組配列情報格納部１０９
番組配列情報格納部１０９は、ＰＳＩ／ＳＩを格納するための記憶領域である。
【００４４】
ＰＳＩ／ＳＩ、特に、ＳＤＴ、ＥＩＴ及びＰＭＴの記載内容については、後述する。なお、ＰＳＩ／ＳＩは、外部装置で作成されてもよいし、送信装置１００で作成されてもよい。
【００４５】
（８）多重化部１０７
多重化部１０７は、３Ｄ用ビデオストリーム格納部１０４に格納されている３Ｄ用ビデオストリーム、２Ｄ用ビデオストリーム格納部１０５に格納されている２Ｄ用ビデオストリーム、オーディオストリーム格納部１０６に格納されているオーディオストリーム、ＰＳＩ／ＳＩなどを多重化して、ＭＰＥＧ２−ＴＳ形式のトランスポートストリーム（ＴＳ）３００を生成し、送信部１０８を介して送信する。
【００４６】
なお、各種ストリームとともに多重化されるＰＳＩ／ＳＩの詳細の説明については後述する。
【００４７】
（９）送信部１０８
送信部１０８は、多重化部１０７で生成されたＭＰＥＧ２−ＴＳ形式のトランスポートストリームを送信する。
【００４８】
（１０）ＰＳＩ／ＳＩ
ここでは、番組配列情報格納部１０９に格納され、多重化部１０７で各種ストリームとともに多重化されるＰＳＩ／ＳＩの記述内容、特にＳＤＴ、ＥＩＴ及びＰＭＴの記述内容について説明する。
【００４９】
多重化部１０７で生成されるＴＳ３００には、図３及び図４に示すように、ＰＳＩ／ＳＩであるＳＤＴ３０１、ＥＩＴ３０２、３０３、ＰＭＴ３０４等が含まれており、１つのＴＳ３００に複数の編成チャンネルの番組が多重化される。
【００５０】
番組配列情報格納部１０９では、ＳＤＴ３０１、ＥＩＴ３０２、３０３、ＰＭＴ３０４などが格納されており、多重化部１０７で生成されるＴＳ３００に含まれる。
【００５１】
以下、ＳＤＴ３０１、ＥＩＴ３０２、３０３、ＰＭＴ３０４について説明する。
【００５２】
（１０−１）ＳＤＴ３０１
図３に示すＴＳ３００には、２つの編成チャンネルが含まれており、各編成チャンネルそれぞれに対してＳＤＴ３０１内でｓｅｒｖｉｃｅ＿ｉｄがユニークに割当てられ、ｓｅｒｖｉｃｅ＿ｉｄごとに対応する編成チャンネルに関する情報が定義される（図３に示す記述子３２０、３２１に相当）。
【００５３】
記述子３２０、３２１のそれぞれには、対応する編成チャンネルの放送形態を示すｓｅｒｖｉｃｅ＿ｔｙｐｅ、サービス事業者名を示すｓｅｒｖｉｃｅ＿ｐｒｏｖｉｄｅｒ＿ｎａｍｅ、サービス名を示すｓｅｒｖｉｃｅ＿ｎａｍｅがサービス記述子として含まれている。
【００５４】
（１０−２）ＥＩＴ３０２、３０３
次に、図４に示すＥＩＴ３０２、３０３について説明する。
【００５５】
ＥＩＴ３０２、３０３は、チャンネルごとに時系列にその番組情報がまとめられている。ＥＩＴと対応付けられたチャンネルは、ｓｅｒｖｉｃｅ＿ｉｄによってＳＤＴ３０１内で定義される編成チャンネルと関連付けられる。ここでは、ＥＩＴ３０２は、ｓｅｒｖｉｃｅ＿ｉｄ３３０により、図３に示す記述子３２０で示される編成チャンネル（サービス１）と、ＥＩＴ３０３は、ｓｅｒｖｉｃｅ＿ｉｄ３４０により、図３に示す記述子３２１で示される編成チャンネル（サービス２）と、それぞれ関連付けがなされている。
【００５６】
編成チャンネルに含まれる各番組情報は、ｅｖｅｎｔ＿ｉｄによってユニークに識別される。例えば、編成チャンネル（サービス１）は、ＥＩＴ３０２のｅｖｅｎｔ＿ｉｄ３３１（ＩＤの値が１００）で識別され、編成チャンネル（サービス２）は、ＥＩＴ３０３のｅｖｅｎｔ＿ｉｄ３４１（ＩＤの値が２００）で識別される。
【００５７】
番組の開始時刻は、ｓｔａｒｔ＿ｔｉｍｅに記述され、放送時間はｄｕｒａｔｉｏｎに記述される時間で対応付けられる。図４では、ＥＩＴ３０２、ＥＩＴ３０３で示される番組の双方とも、開始時刻が１９：００であり、放送時間は２時間である。また、番組名称は、ｅｖｅｎｔ＿ｎａｍｅに記載され、図４では、ＥＩＴ３０２、ＥＩＴ３０３で示される番組の双方とも、同一の番組名である。
【００５８】
その他番組の詳細情報に関する記述子は、ＥＩＴ３０２、３０３それぞれにおいてｅｖｅｎｔ＿ｉｄごとに記述される。具体的には、ＥＩＴ３０３では、番組情報として「３Ｄ映像有り」を示すコンテント記述子３４３を含んでいる。コンテント記述子３４３は、イベントのジャンルに関する情報が記載されるものであり、例えば、“ｃｏｎｔｅｎｔ＿ｎｉｂｂｌｅ＿ｌｅｖｅｌ＿１”、“ｃｏｎｔｅｎｔ＿ｎｉｂｂｌｅ＿ｌｅｖｅｌ＿２”、及び“ｕｓｅｒ＿ｎｉｂｂｌｅ”それぞれを定義することによりイベントのジャンルに関する情報が特定される。ここでは、これら情報の定義について拡張し、各情報について、“ｃｏｎｔｅｎｔ＿ｎｉｂｂｌｅ＿ｌｅｖｅｌ＿１＝０ｘＥ”、“ｃｏｎｔｅｎｔ＿ｎｉｂｂｌｅ＿ｌｅｖｅｌ＿２＝０ｘ０”、及び“ｕｓｅｒ＿ｎｉｂｂｌｅ＝０ｘ２０”と記述する。これにより、ＥＩＴ３０３で示される、つまりｅｖｅｎｔ＿ｉｄ＝２００で識別される番組には３Ｄ映像が存在することを示す。
【００５９】
ＥＩＴ３０２及びＥＩＴ３０３で示される各番組は、ともに同じ内容のコンテンツであるが、ＥＩＴ３０２で示される番組（ストリーム）は２Ｄ番組として放送するもので、ＥＩＴ３０３で示される番組（ストリーム）は３Ｄ番組として放送するものである。すなわち、両番組は互いに視聴形態が異なる、つまりは３Ｄ映像による表示と２Ｄ映像による表示といった表示態様が異なるサイマル放送番組として放送されている。
【００６０】
ＥＩＴ３０２、３０３は、サイマル放送がされている各番組を関連付ける情報として、サイマル放送番組として放送されている他方の番組（ストリーム）を参照する情報を示すイベントグループ記述子３３３、３４４を有している。
【００６１】
従来のイベントグループ記述子は、現行の２Ｄ放送においてＡＲＩＢ規格（ＡＲＩＢ  ＳＴＤ−Ｂ１０）において定義される記述子であって、複数の番組（イベント）間に関係がある場合にそれらをグループ化して、関連する各番組のＰＭＴに同一のＥＳを参照するＰＩＤを記述して番組を共有化（イベント共有）したり、番組途中で異なるサービスへ継続して放送（イベントリレー）したりする放送形態を定義する記述子である。ここでは、この記述子を拡張して、３Ｄ番組と２Ｄ番組とによるサイマル放送を関連付ける記述を新たに定義して、３Ｄ番組と２Ｄ番組のサイマル放送番組間を関連付ける。
【００６２】
イベントグループ記述子３３３には、サイマル放送における３Ｄ番組に対する映像ストリーム、つまりＴＳ３００に含まれる３Ｄ用ビデオストリームを特定する記述子（以下、特定情報記述子という。）３３４と、他方への表示の切り替えの可否を示す記述子（以下、切替情報記述子という。）３３５が含まれている。
【００６３】
また、イベントグループ記述子３４４には、サイマル放送における２Ｄ番組に対する映像ストリーム、つまりＴＳ３００に含まれる２Ｄ用ビデオストリームを特定する特定情報記述子３４５と、他方への表示の切り替えの可否を示す切替情報記述子３４６が含まれている。
【００６４】
特定情報記述子３３４、３４５には、サイマル放送のおける２Ｄ番組であるか３Ｄ番組であるかを判別するグループの種別（ｇｒｏｕｐ＿ｔｙｐｅ）、参照先のサイマル放送番組を含む編成チャンネルのチャンネルＩＤ（ｓｅｖｉｃｅ＿ｉｄ）、および参照先のサイマル放送番組の番組ＩＤ（ｅｖｅｎｔ＿ｉｄ）が定義されている。
【００６５】
ｇｒｏｕｐ＿ｔｙｐｅは、提供するデータ構造のサービス形態を区別する値であり、ここでは、サイマル放送の２Ｄ番組に対応する値として“０ｘ６”が、サイマル放送の３Ｄ番組に対応する値として“０ｘ７”が、それぞれ用いられる。
【００６６】
これにより、イベントグループ記述子３３３、３４４を同時刻に放送されているサイマル放送番組への遷移の際のリンク情報として利用することができる。
【００６７】
切替情報記述子３３５、３４６には、対応するＥＩＴで示される映像ストリームにおいて切替可能な区間を示す情報を１つ以上記載することができる。切替可能な区間を示す情報として、当該区間の先頭時刻を示すｔｉｍｅ［ｉ］とその区間を示すｄｕｒａｔｉｏｎ［ｉ］とが定義されている。ここで、ｉは、０以上ｎ−１以下の整数である。なお、ｎは、切替可能な区間の個数を示す１以上の整数である。
【００６８】
（１０−３）ＰＭＴ３０４
ＰＭＴ３０４は、ＴＳ３００に含まれる各種ＥＳ、例えばｅｖｅｎｔ＿ｉｄの値が１００である２Ｄ番組に対する２Ｄ用ビデオストリーム、ｅｖｅｎｔ＿ｉｄの値が２００である３Ｄ番組に対する３Ｄ用ビデオストリーム、及びこれら番組のオーディオストリームそれぞれについての情報（ＥＳ情報）が記述されている。記述内容は、従来と変更はないが、３Ｄ番組に対するＥＳ情報には、従来の記述内容に加えて、３Ｄ映像の再生方式がＳＢＳ方式であるか、ＭＶＣ方式であるかを識別する情報（３Ｄ再生方式）が記述されている。
【００６９】
２．３  受信再生装置２００
受信再生装置２００は、送信装置１００から送信されたＴＳ３００を受信し、ＴＳ３００に含まれるビデオストリームから２Ｄ表示用の映像を生成し、表示する、３Ｄ表示対応のデジタルテレビである。
【００７０】
受信再生装置２００は、図５に示すように、チューナ２０１、多重分離部２０２、番組情報管理部２０３、映像デコード部２０５、音声デコード部２０６、映像表示処理部２０７及び表示部２０８から構成されている。
【００７１】
ここで、多重分離部２０２、映像デコード部２０５、音声デコード部２０６、映像表示処理部２０７及び表示部２０８は、ユーザにより指定された番組の再生処理を行う再生処理部２０９を構成する。
【００７２】
（１）チューナ２０１
チューナ２０１は、送信装置１００から送信された、デジタル放送波であるトランスポートストリーム（ＴＳ）３００の信号を受信し、受信した信号を復調する機能を有している。
【００７３】
（２）多重分離部２０２
多重分離部２０２は、受信したＴＳ３００を、ビデオストリーム（Ｖ＿ＥＳ）、オーディオストリーム（Ａ＿ＥＳ）、及びＰＳＩ／ＳＩなどに分離し、ビデオストリームは映像デコード部２０５へ、オーディオストリームは音声デコード部２０６へ、ＰＳＩ／ＳＩは番組情報管理部２０３へ、それぞれ出力する。
【００７４】
ここで、映像デコード部２０５へ出力するビデオストリームは、受信したＴＳ３００に含まれる１つ以上のビデオストリームの中から、後述する番組情報管理部２０３によって選択された番組に関連付けられたストリーム情報（例えば、ビデオストリームのＰＩＤ）に従って選択される。また、ビデオストリームには、映像コーデック情報及び当該ビデオストリームに３Ｄ映像が含まれる場合には３Ｄ方式情報といったストリーム情報も含まれており、これら情報も映像デコード部２０５へ転送される。映像コーデック情報とは、ビデオストリームのコーデック方式を示す情報、例えばＭＰＥＧ−２方式であるかＭＰＥＧ−４方式であるかを示す情報である。また、３Ｄ方式情報とは、ＳＢＳ方式により３Ｄ映像が生成されているのか、ＭＶＣ方式により３Ｄ映像が生成されているのかを示す情報である。
【００７５】
また、音声デコード部２０６へ出力するオーディオストリームは、受信したＴＳ３００に含まれる１つ以上のビデオストリームの中から、後述する番組情報管理部２０３によって選択された番組に関連付けられたストリーム情報（例えば、オーディオストリームのＰＩＤ）に従って選択される。
【００７６】
多重分離部２０２は、受信したＴＳ３００からＰＳＩ、ＳＩ及びＰＭＴなどのシステムパケットを抽出し、ＴＳ３００に含まれる番組情報と、番組に対応するストリーム情報とを取得し、番組情報管理部２０３に出力する。
【００７７】
（３）番組情報管理部２０３
番組情報管理部２０３は、多重分離部２０２から取得した番組情報とストリーム情報とを関連付けてデータベース管理し、ユーザからの視聴態様（視聴形態）の切替指示を受け付けた場合に切替の可否を判断する。
【００７８】
番組情報管理部２０３は、図６に示すように、ＰＳＩ／ＳＩ解析部２１１、番組情報ＤＢ２１２及び２Ｄ／３Ｄ切替部２１３から構成されている。
【００７９】
（３−１）ＰＳＩ／ＳＩ解析部２１１
ＰＳＩ／ＳＩ解析部２１１は、多重分離部２０２からＰＳＩ／ＳＩを受け取ると、その中から番組情報を抽出し、番組情報ＤＢ２１２へ登録する。
【００８０】
例えば、ＰＳＩ／ＳＩのうちＰＭＴには、ＴＳ内に含まれるストリームのＰＩＤ情報、及びＰＩＤで示されるストリームが３Ｄ映像である場合にはその再生方式が記載されている。また、ＳＤＴには、放送されている編成チャンネル情報が記載されており、ＥＩＴ（Ｅｖｅｎｔ  Ｉｎｆｏｒｍａｔｉｏｎ  Ｔａｂｌｅには）編成チャンネルに関連付けられて各番組の番組情報が記載されている。ＰＳＩ／ＳＩ解析部２１１は、ＰＳＩ／ＳＩから番組ごとに各種情報を取得し、各番組の番組情報とそれぞれに関連付けられたストリーム情報をまとめて番組情報ＤＢ２１２に格納する。
【００８１】
（３−２）番組情報ＤＢ２１２
番組情報ＤＢ２１２は、ＰＳＩ／ＳＩ解析部２１１で取得された各番組の番組情報及びストリーム情報をデータベースとして管理し、番組情報の提供要求に応じて記録されているデータを提供する。
【００８２】
例えば、番組情報ＤＢ２１２は、図７に示す番組情報テーブルＴ１００を有している。番組情報テーブルＴ１００は、チャンネルＩＤ、チャンネル名、番組ＩＤ、番組名、放送日時、３Ｄ映像、３Ｄ再生方式、切替先情報及びストリームＩＤからなる組を１つ以上格納する領域を有している。
【００８３】
チャンネルＩＤは、対応する番組が放送されるチャンネルを示す識別子であり、チャンネル名はそのチャンネルの放送局名である。番組ＩＤは、対応する番組を識別するものであり、番組名は対応する番組の名称である。放送日時は、対応する番組が放送される日時を示す。なお、これらの情報は全てＥＩＴ及びＳＤＴから取得されるものである。
【００８４】
３Ｄ映像には、対応する番組に３Ｄ映像が含まれるか否かを示す情報が記載される。なお、図７では、便宜上、対応する番組に３Ｄ映像が含まれない場合には“−”を、含まれる場合には“有”と記載している。
【００８５】
３Ｄ再生方式には、対応する番組が３Ｄ映像を含むものであれば、その再生方式を識別する情報が記載される。例えば、再生方式がＳＢＳ方式である場合には、その旨を示す情報（ここでは“ＳＢＳ”とする。）が記載され、ＭＶＣ方式である場合には、その旨を示す情報（ここでは“ＭＶＣ”とする。）が記載される。この情報は、ＰＭＴから取得される。
【００８６】
切替先情報は、サイマル放送、切替可否情報からなる情報である。サイマル放送には、対応する番組についてサイマル放送がされているか否かを示す情報、及びサイマル放送がされている場合にはサイマル放送における他方の番組を示す特定情報が記載されている。例えば、サイマル放送がされている場合には、その旨を示す情報（ここでは、“有”とする。）が記載される。なお。この情報は、ＥＩＴにサイマル放送について他方の番組を関連付ける、イベントグループ記述子において特定情報記述子の記載の有無のより判別される。サイマル放送がされている場合には、接続先の特定情報としてサイマル放送について他方の番組を関連付ける特定情報記述子の内容が記載される。切替可否情報には、サイマル放送がされている場合に、切替記述子に記載された、切替可能な区間を示す１つ以上の情報が記載される。つまり、切替可能な区間の先頭時刻を示すｔｉｍｅ［ｉ］とその区間を示すｄｕｒａｔｉｏｎ［ｉ］とが記載される。ここで、ｉは、０以上ｎ−１以下の整数である。ｎは、切替可能な区間の個数を示す１以上の整数である。
【００８７】
ストリームＩＤには、対応する番組に割り当てられたストリームＩＤ（ＥＩＴに記載された“ｔｒａｎｓｐｏｒｔ＿ｓｔｒｅａｍ＿ｉｄ”）が記載される。
【００８８】
なお、以降の説明において、番組（２Ｄ番組、３Ｄ番組）に対する番組情報とは、番組情報テーブルＴ１００におけるチャンネルＩＤ、チャンネル名、番組ＩＤ、番組名、放送日時、３Ｄ映像、３Ｄ再生方式、切替先情報（サイマル放送、切替可否情報）及びストリームＩＤからなる情報をいう。
【００８９】
（３−３）２Ｄ／３Ｄ切替部２１３
２Ｄ／３Ｄ切替部２１３は、ユーザが現在視聴している番組の放送形態を変更する指示、すなわち、２Ｄから３Ｄへ、又は３Ｄから２Ｄへの切替指示を受け付けると、番組情報ＤＢ２１２に現在再生中の番組の番組情報を問合せする。例えば、２Ｄ／３Ｄ切替部２１３は、図８（ａ）に示すリモコン２５０のボタン２５１、２５２から切替指示を受け付ける。ユーザが２Ｄ映像の視聴中にボタン２５１が押下されると、現在視聴中の番組の映像を３Ｄ映像に切り替える切替指示が２Ｄ／３Ｄ切替部２１３に送信され、２Ｄ／３Ｄ切替部２１３では当該切替指示を受信する。また、ユーザが３Ｄ映像の視聴中にボタン２５２が押下されると、現在視聴中の番組の映像を２Ｄ映像に切り替える切替指示が２Ｄ／３Ｄ切替部２１３に送信され、２Ｄ／３Ｄ切替部２１３では当該切替指示を受信する。あるいは、図８（ｂ）に示すように、リモコン２５０ａは、映像の切替ボタンとして１つのボタン２５１ａを備え、ユーザがボタン２５１ａを押下すると、その時点での表示状態が２Ｄ表示状態ならば３Ｄ表示状態へ切替え、３Ｄ表示状態ならば２Ｄ表示状態へ切り替える切替指示を送信してもよい。あるいは、リモコンに物理的な切り替えボタンが存在しなくとも、デジタルテレビの設定画面、例えばＥＰＧ画面からから２Ｄ視聴するか、または３Ｄ視聴するかを選択できてもよい。
【００９０】
２Ｄ／３Ｄ切替部２１３は、番組情報ＤＢ２１２に問い合わせた番組情報を解析し、当該番組のサイマル放送番組の有無を確認する。もし当該番組にユーザが所望する放送形態（２Ｄまたは３Ｄ）と一致するサイマル放送が存在すると判断する場合には、問い合わせた番組情報に含まれる切替可否情報を用いて、現在時刻において切替先となる映像ストリームへの切り替えが可能であるか否かを判断する。切り替え可能と判断する場合には、２Ｄ／３Ｄ切替部２１３は、切替先の特定情報（例えば、切替先のｓｅｒｖｉｃｅ＿ｉｄ及びｅｖｅｎｔ＿ｉｄ）を多重分離部２０２へ出力する。さらに、２Ｄ／３Ｄ切替部２１３は、表示態様（視聴形態）が切り替わる旨の指示である表示態様切替指示を、映像デコード部２０５及び映像表示処理部２０７へ出力する。なお、２Ｄ／３Ｄ切替部２１３は、２Ｄから３Ｄへの変更指示を受け付けた場合には、サイマル放送番組の有無の確認に先立って、番組情報ＤＢ２１２に問い合わせた番組情報の解析結果に基づいて、現在視聴中の２Ｄ映像が２Ｄ番組のもの（２Ｄ用ビデオストリームの映像）であるか、３Ｄ番組の映像を２Ｄとして表示しているものであるかを判断する。そして、２Ｄ番組のものであると判断する場合には、上記のサイマル放送番組の有無の確認を行う。３Ｄ番組の映像であると判断する場合には、サイマル放送番組の有無の確認結果に関係なく、現在再生対象のビデオストリーム（３Ｄ用ビデオストリーム）を用いた３Ｄ映像による再生を行う旨の３Ｄ再生指示を映像表示処理部２０７へ出力する。
【００９１】
当該番組にユーザが所望する放送形態（２Ｄまたは３Ｄ）と一致するサイマル放送が存在しないと判断する場合、又はサイマル放送があっても切替えが不可の状態であると判断する場合、２Ｄ／３Ｄ切替部２１３は、現在の放送番組に対して表示態様の変更を映像デコード部２０５及び映像表示処理部２０７へ指示する。例えば、３Ｄ再生から２Ｄ再生への切替指示を受け付けた場合、サイマル放送が存在しないと判断したときであって、現在の３Ｄ方式がＭＰＥＧ４−ＭＶＣ方式のように２Ｄ再生との互換性のある方式であるならば、２Ｄ／３Ｄ切替部２１３は、後述する映像デコード部２０５に対して、ＭＰＥＧ４−ＭＶＣ形式のビデオストリームのうちＢａｓｅ  Ｖｉｅｗのみを２ＤのＭＰＥＧ４−ＡＶＣビデオストリームとして復号するよう、指示（以下、第１指示という。）を出力する。３Ｄ方式がＳＢＳ方式のビデオストリームの場合であれば、後述する映像表示処理部２０７に対して、フレーム映像のうち左目映像部分及び右目映像部分のうち何れかの映像部分を抽出して、全画面にスケーリングさせた２Ｄ映像を出力するよう、指示（以下、第２指示という。）を出力する。
【００９２】
また、２Ｄ再生から３Ｄ再生への切替指示を受け取った場合であって、切替が不可であると判断する場合、２Ｄ／３Ｄ切替部２１３は、映像表示処理部２０７に対して、２Ｄ映像を用いて３Ｄ表示を行うよう、指示（以下、第３指示という。）を出力する。
【００９３】
以上のようにして、２Ｄ／３Ｄ切替部２１３は、デジタルテレビ２００で視聴する番組の２Ｄ再生と３Ｄ再生の切り替えを実現することができる。
【００９４】
（４）映像デコード部２０５
映像デコード部２０５は、２Ｄ用ビデオストリーム、及び３Ｄ用ビデオストリームの復号を行う。
【００９５】
映像デコード部２０５は、３Ｄ用ビデオストリームの復号時において、ビデオストリーム（Ｖ＿ＥＳ）を多重分離部２０２から受け取ると、受け取ったビデオストリームのデコードを行うとともに、ビデオストリーム中の映像コーデック情報及び３Ｄ方式情報を取り出す機能を有している。映像デコード部２０５により、フレーム単位の映像が復号される。ここで、３Ｄ方式情報がＳＢＳ方式を示している場合における、フレーム単位の映像とは、３Ｄ映像の左目と右目の画像が１画面中に分割されて構成されている映像である。この場合、映像デコード部２０５は、当該映像を、１つの２Ｄのフレーム映像として復号する。つまり復号されたフレーム映像とは、左目と右目との両画像が１画面中に分割された映像である。また、３Ｄ方式情報がＭＶＣ方式を示している場合、映像デコード部２０５は、３Ｄ表示を行う際には、Ｂａｓｅ  Ｖｉｅｗストリーム及びＮｏｎＢａｓｅ  Ｖｉｅｗストリームの双方を復号する。なお、映像デコード部２０５は、２Ｄ／３Ｄ切替部２１３から第１指示を受け付けると、Ｂａｓｅ  Ｖｉｅｗストリームのみを２ＤのＭＰＥＧ４−ＡＶＣ互換ストリームとして復号する。
【００９６】
映像デコード部２０５は、２Ｄ番組を再生する場合には、２Ｄ用ビデオストリームに対して復号を行う。
【００９７】
映像デコード部２０５は、復号されたフレームを映像表示処理部２０７へ出力する。このとき、復号したフレームが３Ｄ用ビデオストリームに含まれる場合には、映像デコード部２０５は、３Ｄ方式情報もあわせて映像表示処理部２０７へ出力する。
【００９８】
また、映像デコード部２０５は、２Ｄ／３Ｄ切替部２１３から表示態様切替指示を受け取ることで、２Ｄストリームの復号及び３Ｄストリームの復号の切替を行う。
【００９９】
（５）音声デコード部２０６
音声デコード部２０６は、多重分離部２０２から受け取ったオーディオストリーム（Ａ＿ＥＳ）を復号して、音声データを生成する。そして、音声デコード部２０６は、生成した音声データを音声として出力する。
【０１００】
（６）映像表示処理部２０７
映像表示処理部２０７は、映像デコード部２０５から受け取ったフレーム映像に対して、クロッピング処理やスケーリング処理といった加工処理を行い、加工後の表示イメージ（Ｄｉｓｐｌａｙ  Ｉｍａｇｅ）を表示部２０８に出力する。
【０１０１】
映像表示処理部２０７は、３Ｄ表示を行う場合であって、３Ｄ方式情報がＳＢＳ方式を示す場合には、映像デコード部２０５から受け取ったフレーム映像に対して、左目映像部分と、右目映像部分とに分割し、全画面にスケーリングさせた左目用映像と右目用映像とを生成し、生成した左目用映像及び右目用映像に対して加工処理を行って、加工後の左目用映像と右目用映像とを、交互に表示部２０８に出力する。
【０１０２】
また、映像表示処理部２０７は、３Ｄ表示を行う場合であって、３Ｄ方式情報がＭＶＣ方式を示す場合には、映像デコード部２０５から受け取ったフレーム映像に対して加工処理を行い、加工後の左目用映像と右目用映像とを、交互に表示部２０８に出力する。
【０１０３】
映像表示処理部２０７は、２Ｄ表示を行う場合には、映像デコード部２０５から受け取ったフレーム映像に対して加工処理を行い、加工後の映像を表示部２０８に出力する。
【０１０４】
また、映像表示処理部２０７は、２Ｄ／３Ｄ切替部２１３から第２指示を受け取った場合には、映像デコード部２０５から受け取ったフレーム映像のうち左目映像部分のみを切り取り、全画面にスケーリングさせて２Ｄ映像を生成して、当該２Ｄ映像に対して加工処理を行って、加工後の２Ｄ映像を表示部２０８に出力する。なお、切り取る映像部分は右目映像部分であってもよい。
【０１０５】
映像表示処理部２０７は、２Ｄ／３Ｄ切替部２１３から第３指示を受け取った場合には、入力された２Ｄ映像に対して２Ｄ表示から３Ｄ表示への変換処理を施して３Ｄ映像（左目用映像と右目用映像）を生成して、生成した左目用映像と右目用映像とを交互に表示部２０８へ出力する。
【０１０６】
また、映像表示処理部２０７は、３Ｄ再生指示を２Ｄ／３Ｄ切替部２１３から３Ｄ再生指示を受け取ると、現在再生対象のビデオストリーム（３Ｄ用ビデオストリーム）について３Ｄ方式情報が示す方式に基づいた３Ｄ映像の出力を行う。
【０１０７】
（７）表示部２０８
表示部２０８は、映像表示処理部２０７から受け取った加工処理後のフレーム映像を画面に表示する。
【０１０８】
２．４  動作
（１）送信装置１００の動作
ここでは、送信装置１００の動作について図９に示す流れ図を用いて説明する。
【０１０９】
３Ｄ用ビデオエンコーダ１０１は、一の番組について３Ｄ表示用の複数の映像（ピクチャ）について、ＭＰＥＧ−２、ＭＰＥＧ−４などの方式を使って符号化して、３Ｄ用ビデオストリームを生成し、３Ｄ用ビデオストリーム格納部１０４へ書き込む（ステップＳ５）。なお、番組ごとにＳＢＳ方式及びＭＶＣ方式の何れかで符号化されることが決められており、３Ｄ用ビデオエンコーダ１０１は、予め決められた方式で番組を符号化する。
【０１１０】
２Ｄ用ビデオエンコーダ１０２は、前記一の番組について２Ｄ表示用の複数の映像（ピクチャ）について、ＭＰＥＧ−２、ＭＰＥＧ−４などの方式を使って符号化して、２Ｄ用ビデオストリームを生成し、２Ｄ用ビデオストリーム格納部１０５へ書き込む（ステップＳ１０）。
【０１１１】
オーディオエンコーダ１０３は、音声データを圧縮・符号化して、オーディオストリームを生成し、オーディオストリーム格納部１０６へ書き込む（ステップＳ１５）。
【０１１２】
多重化部１０７は、３Ｄ用ビデオストリーム、２Ｄ用ビデオストリーム、オーディオストリーム、及び番組配列情報格納部１０９で格納されているＰＳＩ／ＳＩなどを多重化して、ＭＰＥＧ２−ＴＳ形式のトランスポートストリームを生成し、送信部１０８を介して送信する（ステップＳ２０）。
【０１１３】
（２）受信再生装置２００の動作
ここでは、受信再生装置２００の動作について、図１０に示す流れ図を用いて説明する。
【０１１４】
番組情報管理部２０３の２Ｄ／３Ｄ切替部２１３は、ユーザ操作により切替指示を受け取ると（ステップＳ１００）、切替先が２Ｄ番組であるか３Ｄ番組であるかを判断する（ステップＳ１０５）。
【０１１５】
切替先が２Ｄ番組であると判断する場合（ステップＳ１０５における「２Ｄ」）、２Ｄ／３Ｄ切替部２１３は、２Ｄ番組のサイマル放送が存在するか否かを判断する（ステップＳ１１０）。具体的には、２Ｄ／３Ｄ切替部２１３は、現在視聴中の番組に対応する番組情報に含まれるサイマル放送に“有”の旨が記載されているか“無”の旨が記載されているかに基づいて判断する。
【０１１６】
２Ｄ番組のサイマル放送が存在すると判断する場合（ステップＳ１１０における「Ｙｅｓ」）、２Ｄ／３Ｄ切替部２１３は、現時点で３Ｄ番組から２Ｄ番組への切り替えが可能であるか否かを判断する（ステップＳ１１５）。具体的には、２Ｄ／３Ｄ切替部２１３は、番組情報テーブルＴ１００を用いて、現在の時刻が、現在視聴中の番組に対応する番組情報に含まれる切替可否情報で示される１つ以上の切替可能区間の何れかに属しているか否かを判断する。
【０１１７】
２Ｄ／３Ｄ切替部２１３で切替可能と判断される場合（ステップＳ１１５における「Ｙｅｓ」）、再生処理部２０９は、再生対象を３Ｄ用ビデオストリームから２Ｄ用ビデオストリームへと変更し、２Ｄ番組の再生を行う（ステップＳ１２０）。具体的には、先ず、２Ｄ／３Ｄ切替部２１３が、表示態様切替指示を再生処理部２０９の映像デコード部２０５及び映像表示処理部２０７へ出力し、切替先番組情報を多重分離部２０２へ出力する。再生処理部２０９の多重分離部２０２は、切替先番組情報を受け取ると、ＴＳ３００から切替先番組情報で特定される２Ｄ用ビデオストリーム及び音声ストリームそれぞれを抽出し、２Ｄ用ビデオストリームを映像デコード部２０５へ、音声ストリームを音声デコード部２０６へそれぞれ出力する。映像デコード部２０５は、表示態様切替指示を受け取ると、復号方式を３Ｄ用ビデオストリームから２Ｄ用ビデオストリームへと変更し、２Ｄ用ビデオストリームを復号する。映像表示処理部２０７は、表示態様切替指示を受け取ると、表示部２０８への映像の出力形式を３Ｄ用の出力形式から２Ｄ用の出力形式へと変更し、２Ｄ用の出力形式に基づいて、映像デコード部２０５で復号された２Ｄ用ビデオストリームの各映像を表示部２０８へ出力する。ここで、３Ｄ用の出力形式とは、１／１２０秒ごとに左目の映像と右目の映像とを交互に出力する形式であり、２Ｄ用の出力形式とは、１／６０秒ごとに２Ｄの映像を出力する形式である。
【０１１８】
２Ｄ番組のサイマル放送が存在しないと判断する場合（ステップＳ１１０における「Ｎｏ」）、及び切替不可と判断される場合（ステップＳ１１５における「Ｎｏ」）、２Ｄ／３Ｄ切替部２１３は、３Ｄ番組の再生方式を判断、つまり再生方式がＳＢＳ方式であるかＭＶＣ方式であるかを判断する（ステップＳ１２５）。具体的には、現在視聴中の番組に対応する番組情報に含まれる３Ｄ再生方式に記載された情報に基づいて判断する。
【０１１９】
２Ｄ／３Ｄ切替部２１３で３Ｄの再生方式がＭＶＣであると判断される場合（ステップＳ１２５における「ＭＶＣ」）、再生処理部２０９は、３Ｄ用ビデオストリームに含まれるＢａｓｅＶｉｅｗの各映像を２Ｄ映像として再生する（ステップＳ１３０）。具体的には、先ず、２Ｄ／３Ｄ切替部２１３が、第１指示を再生処理部２０９の映像表示処理部２０７へ出力する。再生処理部２０９の多重分離部２０２は、ＴＳ３００から３Ｄ用ビデオストリーム及び音声ストリームそれぞれを抽出し、３Ｄ用ビデオストリームを映像デコード部２０５へ、音声ストリームを音声デコード部２０６へそれぞれ出力する。映像デコード部２０５は、ＭＶＣ方式の３Ｄ用ビデオストリームを復号する。映像表示処理部２０７は、２Ｄ／３Ｄ切替部２１３から第１指示を受け取ると、映像デコード部２０５で復号された３Ｄ用ビデオストリームのうちＢａｓｅＶｉｅｗの各映像を表示部２０８へ出力する。
【０１２０】
ＳＢＳ方式であると判断する場合（ステップＳ１２５における「ＳＢＳ」）、再生処理部２０９は、３Ｄ用ビデオストリームに含まれるサイドバイサイドからなるフレーム映像のうち左目映像部分を抽出し、２Ｄ映像として再生する（ステップＳ１３５）。具体的には、先ず、２Ｄ／３Ｄ切替部２１３が、第２指示を再生処理部２０９の映像表示処理部２０７へ出力する。再生処理部２０９の多重分離部２０２は、ＴＳ３００から３Ｄ用ビデオストリーム及び音声ストリームそれぞれを抽出し、３Ｄ用ビデオストリームを映像デコード部２０５へ、音声ストリームを音声デコード部２０６へそれぞれ出力する。映像デコード部２０５は、ＳＢＳ方式の３Ｄ用ビデオストリームを復号する。映像表示処理部２０７は、２Ｄ／３Ｄ切替部２１３から第２指示を受け取ると、映像デコード部２０５で復号された各フレーム映像について左目映像部分のみを切り取り、全画面にスケーリングさせた２Ｄ映像を表示部２０８に出力する。
【０１２１】
切替先が３Ｄ番組であると判断する場合（ステップＳ１０５における「３Ｄ」）、２Ｄ／３Ｄ切替部２１３は、現在視聴中の２Ｄ映像が２Ｄ番組のものであるか３Ｄ番組のものであるかを判断する（ステップＳ１３８）。
【０１２２】
２Ｄ番組のものであると判断する場合（ステップＳ１３８における「２Ｄ番組」）、２Ｄ／３Ｄ切替部２１３は、３Ｄ番組のサイマル放送が存在するか否かを判断する（ステップＳ１４０）。具体的には、２Ｄ／３Ｄ切替部２１３は、現在視聴中の番組に対応する番組情報にサイマル放送の“有”の旨が記載されているか“無”の旨が記載されているかに基づいて判断する。
【０１２３】
３Ｄ番組のサイマル放送が存在すると判断する場合（ステップＳ１４０における「Ｙｅｓ」）、２Ｄ／３Ｄ切替部２１３は、現時点で２Ｄ番組から３Ｄ番組への切り替えが可能であるか否かを判断する（ステップＳ１４５）。具体的には、現在の時刻が、現在視聴中の番組に対応する番組情報に含まれる切替情報で示される１つ以上の切替可能区間の何れかに属しているか否かを判断する。
【０１２４】
２Ｄ／３Ｄ切替部２１３で切替可能と判断される場合（ステップＳ１４５における「Ｙｅｓ」）、再生処理部２０９は、再生対象を２Ｄ用ビデオストリームから３Ｄ用ビデオストリームへと変更し、３Ｄ番組の再生を行う（ステップＳ１５０）。具体的には、先ず、２Ｄ／３Ｄ切替部２１３が、表示態様切替指示を再生処理部２０９の映像デコード部２０５及び映像表示処理部２０７へ出力し、切替先番組情報を多重分離部２０２へ出力する。再生処理部２０９の多重分離部２０２は、切替先番組情報を受け取ると、ＴＳ３００から切替先番組情報で特定される３Ｄ用ビデオストリーム及び音声ストリームそれぞれを抽出し、３Ｄ用ビデオストリームを映像デコード部２０５へ、音声ストリームを音声デコード部２０６へそれぞれ出力する。映像デコード部２０５は、表示態様切替指示を受け取ると、復号方式を２Ｄ用ビデオストリームから３Ｄ用ビデオストリームへと変更し、３Ｄ用ビデオストリームを復号する。映像表示処理部２０７は、表示態様切替指示を受け取ると、表示部２０８への映像の出力形式を２Ｄ用の出力形式から３Ｄ用の出力形式へと変更し、３Ｄ用の出力形式に基づいて、映像デコード部２０５で復号された３Ｄ用ビデオストリームの各映像を表示部２０８へ出力する。
【０１２５】
２Ｄ／３Ｄ切替部２１３で３Ｄ番組のサイマル放送が存在しないと判断される場合（ステップＳ１４０における「Ｎｏ」）、及び３Ｄ番組への切替不可であると判断される場合（ステップＳ１４５における「Ｎｏ」）、再生処理部２０９は、２Ｄ用ビデオストリームを用いた３Ｄ映像の再生を行う（ステップＳ１５５）。具体的には、先ず、２Ｄ／３Ｄ切替部２１３は第３指示を映像表示処理部２０７へ出力する。再生処理部２０９の多重分離部２０２は、ＴＳ３００から２Ｄ用ビデオストリーム及び音声ストリームそれぞれを抽出し、２Ｄ用ビデオストリームを映像デコード部２０５へ、音声ストリームを音声デコード部２０６へそれぞれ出力する。映像デコード部２０５は、２Ｄ用ビデオストリームを復号する。映像表示処理部２０７は、２Ｄ／３Ｄ切替部２１３から第３指示を受け取ると、映像の出力形態を２Ｄ用の出力形態から３Ｄ用の出力形態へと変更する。そして、映像表示処理部２０７は、映像デコード部２０５で復号された２Ｄ映像から３Ｄ映像（左目用映像と右目用映像）を生成して、生成した左目用映像と右目用映像とを交互に表示部２０８へ出力する。
【０１２６】
２Ｄ／３Ｄ切替部２１３で２Ｄ番組のものであると判断される場合（ステップＳ１３８における「３Ｄ番組」）、映像表示処理部２０７は、現在再生対象のビデオストリーム（３Ｄ用ビデオストリーム）を用いた３Ｄ映像の再生を行う（ステップＳ１６０）。
【０１２７】
２．５  具体例
（１）各番組に対する番組情報について
ここでは、受信再生装置２００において表示されるＥＰＧ４００に含まれる各番組と、当該番組に対する番組情報との関係について、図１１に記載された具体例を用いて説明する。
【０１２８】
図１１では、テレビ局Ａにおいて、１９：００から２１：００までの間、野球中継について２Ｄ番組及び３Ｄ番組のサイマル放送が行われるため、ＥＰＧ４００上では、「野球中継」（２Ｄ番組）４０１と、「野球中継」（３Ｄ番組）４０２とが表示されている。
【０１２９】
この場合、例えば、「野球中継」（２Ｄ番組）４０１に対しては、対応する番組情報４０４には、自身の番組の番組ＩＤ（この場合、“１００”）及び３Ｄ映像の有無（この場合、“無”）の情報だけでなく、サイマル放送の有無（この場合、“有”）、３Ｄ番組へのリンクするための情報である特定情報及び切替可否情報が含まれる。
【０１３０】
また、「野球中継」（３Ｄ番組）４０２に対しては、対応する番組情報４０５には、自身の番組の番組ＩＤ（この場合、“２００”）及び３Ｄ映像の有無（この場合、“有”）の情報だけでなく、サイマル放送の有無（この場合、“有”）、３Ｄ番組へのリンクするための情報である特定情報及び切替可否情報が含まれる。
【０１３１】
（２）切替可能区間について
（２−１）第１の具体例
２Ｄ番組と３Ｄ番組とによるサイマル放送では、２Ｄ映像の視点と３Ｄ映像の視点とが異なる場合があるため、２Ｄ番組と３Ｄ番組とにおいて、視点の違いにより、一部映像が異なることが考えられる。図１２は、サイマル放送番組として関連付けられている２Ｄ番組と３Ｄ番組とについて時間方向におけるシーン編成について示している。
【０１３２】
２Ｄ番組と３Ｄ番組とでは、全体の放送時間は同一であるが、２Ｄ番組ではシーン編成が“シーンＡ”、“シーンＢ１”、“シーンＣ”からなるものであるのに対して、３Ｄ番組ではシーン編成が“シーンＡ”、“シーンＢ２”、“シーンＣ”からなる。
【０１３３】
第一の区間では２Ｄ番組と３Ｄ番組ともに同じシーンＡが放送されているが、第二の区間では２Ｄ番組ではシーンＢ１であるのに対して、３Ｄ番組ではシーンＢ２であり、放送内容は異なる。また、第三の区間では、再び２Ｄ番組と３Ｄ番組ともに同じシーンＣが放送されている。図１２における第一の区間と第三の区間では、２Ｄ放送と３Ｄ放送のサイマル放送間で同一時刻に同一内容のシーンが放送されていることから、第一の区間と第三の区間においては、ユーザの２Ｄ／３Ｄ切替え操作によって互いにチャンネルを切替えることが可能である。一方、第二の区間では、同時刻に放送されているシーン内容が異なるため、ユーザの２Ｄ／３Ｄ切替え操作によってチャンネルを切替えることはしてはいけない。なぜなら、切り替えた場合には、シーンが異なるため、ユーザに違和感を与える可能性があるからである。
【０１３４】
図１３では、２Ｄ番組及び３Ｄ番組それぞれに共通のシーンであるシーンＡ及びシーンＣそれぞれについての開始時刻及びそのシーンの区間を示している。例えば、シーンＡでは、開始時刻をｔｉｍｅ［０］、区間をｄｕｒａｔｉｏｎ［０］とし、シーンＣでは、開始時刻をｔｉｍｅ［１］、区間をｄｕｒａｔｉｏｎ［１］とする。
【０１３５】
ＥＩＴ３０２、３０３に含まれる切替情報記述子３３５、３４６では、ｔｉｍｅ［０］とｄｕｒａｔｉｏｎ［０］との組、ｔｉｍｅ［１］とｄｕｒａｔｉｏｎ［１］との組が、それぞれ切替可否情報として記載される。
【０１３６】
受信再生装置２００では、これらの切替可否情報を参照して、ユーザからの切替指示を受け付けた場合、その時点での時刻と照らし合わせることによって、サイマル放送への切替えができるかどうかを判断することができる。
【０１３７】
（２−２）第２の具体例
上記の第１の具体例では、サイマル放送の２つの番組の放送時間が同じである場合を示したが、ここでは、サイマル放送である２つの番組（２Ｄ番組と３Ｄ番組）の放送時間が異なる場合について、図１４を用いて説明する。
【０１３８】
図１４に示すように、２Ｄ番組のシーン編成は、 “シーンＡ”、“シーンＢ１”、“シーンＣ”からなり、３Ｄ番組のシーン編成は、“シーンＡ”、“シーンＢ２”、“シーンＣ”である。
【０１３９】
上記の第１の具体例では、シーンＢ１とシーンＢ２の時間長は同じであったが、ここでは、シーンＢ１とシーンＢ２の時間長は異なる。
【０１４０】
この場合、第一の区間では２Ｄ番組と３Ｄ番組ともに同一時刻に同一内容のシーンＡが放送されていることから、第一の区間においてはユーザの２Ｄ／３Ｄ切替え操作によって互いにチャンネルを切替えることが可能である。
【０１４１】
一方、第二の区間では、２Ｄ放送と３Ｄ放送とで放送内容が異なるため、ユーザの２Ｄ／３Ｄ切替え操作によってチャンネルを切替えることはしてはいけない。
【０１４２】
さらに、２Ｄ放送においてシーンＢ１の後に続くシーン及び３Ｄ放送においてシーンＢ２の後に続くシーンはともにシーンＣであって、その内容としては同じものであるが、同一時刻での放送内容を比較した場合、第三の区間では、２Ｄ放送ではシーンＣの先頭が放送されるのに対して、３Ｄ放送ではシーンＢ２の後半部分が放送され、その後シーンＣが放送されている。すなわち、第三の区間においては、同じシーンを含んでいたとしても、同一時刻においては異なる内容が放送されていることになるため、やはりユーザの２Ｄ／３Ｄ切替え操作によってチャンネルを切替えることはしてはいけない。
【０１４３】
そのため、ＥＩＴ３０２、３０３に含まれる切替情報記述子３３５、３４６では、シーンＡの開始時刻（ｔｉｍｅ［０］）とその区間（ｄｕｒａｔｉｏｎ［０］）との組のみが、切替可否情報として記載される。
【０１４４】
２．６  変形例１
上記では、切替可否情報は、切替可能な区間に対応する開始時刻（ｔｉｍｅ）及びその区間（ｄｕｒａｔｉｏｎ）からなる組としたが、これに限定されない。
【０１４５】
ある時点を起点としてサイマル放送への切替えが有効かどうかを示すフラグを用いて、サイマル放送間の切り替えが可能な区間を定義してもよい。
【０１４６】
図１５に示すように、２Ｄ番組及び３Ｄ番組それぞれに対応するＥＩＴ３０２ａ及び３０３ａにおけるイベントグループ記述子３３３ａ、３４４ａのｇｒｏｕｐ＿ｔｙｐｅが２Ｄ／３Ｄサイマル放送を表すグループ種別（値“０ｘ７”、“０ｘ６”）であった場合、切替情報記述子３３５ａ、３４６ａでは、サイマル放送へ切替えが可能かどうかをその起点となる時刻ｔｉｍｅ［ｉ］と、有効か無効かを示すフラグｖａｌｉｄｉｔｙ＿ｆｌａｇ［ｉ］とを組とする情報が、切替可否情報して記載される。ここで、ｉは、０以上ｎ−１以下の整数である。ｎは、番組を複数個に分割した個数を示す２以上の整数である。
【０１４７】
ｔｉｍｅは、切替先の番組について当該番組を複数個に分割した場合における分割された区間の先頭の時刻を示す。
【０１４８】
ｖａｌｉｄｉｔｙ＿ｆｌａｇは、切替先の番組について、対となるｔｉｍｅを先頭位置として定義される区間において切替が可能であるか否かを示す。値が１である場合にはサイマル放送への切替えが可能であることを示し、値が０である場合にはサイマル放送への切替えが不可であると示す。これにより、受信再生装置２００は、サイマル放送への切替え可否を判断することができる。
【０１４９】
図１６は、図１２に示す２Ｄ番組及び３Ｄ番組のシーン構成に基づいて、時間方向のサイマル放送への切替え可否を示している。
【０１５０】
図１６に示すように、ｔｉｍｅ［０］は、図１２に示す第一の区間（シーンＡ）の開始時刻を示し、ｖａｌｉｄｉｔｙ＿ｆｌａｇ［０］はｔｉｍｅ［０］を起点として、サイマル放送への切替え可否を示している。ここでは、ｔｉｍｅ［０］からはシーンＡの間はサイマル放送間で切替えが可能であるため、ｖａｌｉｄｉｔｙ＿ｆｌａｇ［０］の値は“１”となる。なお次の起点である時刻ｔｉｍｅ［１］までは、ｖａｌｉｄｉｔｙ＿ｆｌａｇ［０］の値が有効である。
【０１５１】
その後、ｔｉｍｅ［１］の時刻に到達したとき、ｔｉｍｅ［１］を起点として、ｖａｌｉｄｉｔｙ＿ｆｌａｇ［１］の値が有効となる。ここでは、ｔｉｍｅ［１］からは２Ｄ放送と３Ｄ放送とで異なるシーンが放送されるため、切替えは不可である。したがって、ｖａｌｉｄｉｔｙ＿ｆｌａｇ［１］の値は「０」となる。そして、ｔｉｍｅ［２］の時刻までの間はｖａｌｉｄｉｔｙ＿ｆｌａｇ［１］の値が有効となる。
【０１５２】
ｔｉｍｅ［２］の時刻に到達したとき、ｖａｌｉｄｉｔｙ＿ｆｌａｇ［２］の値が有効となり、ｔｉｍｅ［２］を起点として以降は番組が終了するまで２Ｄ放送と３Ｄ放送は同じシーンＣが放送されるためサイマル放送間の切替えが可能であり、ｖａｌｉｄｉｔｙ＿ｆｌａｇ［２］の値は「１」となり、番組終了時刻までｖａｌｉｄｉｔｙ＿ｆｌａｇ［２］の値が有効となる。
【０１５３】
これにより、受信再生装置２００は、ユーザからの切替え操作が発生した時刻におけるｖａｌｉｄｉｔｙ＿ｆｌａｇの値を参照することによって、サイマル放送への切り替えができるかどうかを判断することができる。
【０１５４】
また、図１７は、図１４に示す２Ｄ番組及び３Ｄ番組のシーン構成に基づいて、時間方向のサイマル放送への切替え可否を示している。
【０１５５】
図１７に示すように、ｔｉｍｅ［０］、ｔｉｍｅ［１］、ｔｉｍｅ［２］それぞれは、図１２に示す２Ｄ番組におけるシーンＡ、シーンＢ１、シーンＣそれぞれの開始時刻を示し、ｖａｌｉｄｉｔｙ＿ｆｌａｇ［０］、ｖａｌｉｄｉｔｙ＿ｆｌａｇ［１］、ｖａｌｉｄｉｔｙ＿ｆｌａｇ［２］は、対応するシーンにおけるサイマル放送への切替え可否を示している。また、ｔｉｍｅ［０’］、ｔｉｍｅ［１’］、ｔｉｍｅ［２’］それぞれは、図１２に示す３Ｄ番組におけるシーンＡ、シーンＢ２、シーンＣそれぞれの開始時刻を示し、ｖａｌｉｄｉｔｙ＿ｆｌａｇ［０’］、ｖａｌｉｄｉｔｙ＿ｆｌａｇ［１’］、ｖａｌｉｄｉｔｙ＿ｆｌａｇ［２’］は、対応するシーンにおけるサイマル放送への切替え可否を示している。
【０１５６】
図１８は、図１７に記載した２Ｄ番組及び３Ｄ番組それぞれについてのｔｉｍｅとｖａｌｉｄｉｔｙ＿ｆｌａｇとの関係を、ＥＩＴに記載した具体例を示す。
【０１５７】
図１８に示すように、ＥＩＴ３０２ａは、２Ｄ番組に対応するものであり、ＥＩＴ３０２ａにおける切替情報記述子３３５ａには、３Ｄ番組についてのｔｉｍｅ［ｉ’］及びｖａｌｉｄｉｔｙ＿ｆｌａｇ［ｉ’］が記載、つまり、ｔｉｍｅ［０’］、ｔｉｍｅ［１’］、ｔｉｍｅ［２’］と、それぞれに対応するｖａｌｉｄｉｔｙ＿ｆｌａｇ［０’］、ｖａｌｉｄｉｔｙ＿ｆｌａｇ［１’］、ｖａｌｉｄｉｔｙ＿ｆｌａｇ［２’］が記載される。
【０１５８】
また、ＥＩＴ３０３ａは、３Ｄ番組に対応するものであり、ＥＩＴ３０３ａにおける切替情報記述子３４６ａには、２Ｄ番組についてのｔｉｍｅ［ｉ］及びｖａｌｉｄｉｔｙ＿ｆｌａｇ［ｉ］が記載、つまり、ｔｉｍｅ［０］、ｔｉｍｅ［１］、ｔｉｍｅ［２］と、それぞれに対応するｖａｌｉｄｉｔｙ＿ｆｌａｇ［０］、ｖａｌｉｄｉｔｙ＿ｆｌａｇ［１］、ｖａｌｉｄｉｔｙ＿ｆｌａｇ［２］が記載される。
【０１５９】
２．７  変形例２
上記では、１つのトランスポートストリーム（ＴＳ）３００に２つの編成チャンネルが含まれるとしたが、これに限定されない。
【０１６０】
サイマル放送における各番組は、必ずしも１つのＴＳで配信される必要はなく、個別のＴＳで配信されてもよい。
【０１６１】
図１９及び図２０は、サイマル放送における２つの番組（２Ｄ番組及び３Ｄ番組）それぞれが個別のＴＳ（ＴＳ１３００ａ、ＴＳ１３００ｂ）により配信される場合の一例を示すものである。
【０１６２】
ＴＳ１３００ａには、図１９、２０に示すように、ＳＤＴ１３０１ａ、ＥＩＴ１３０２ａが含まれている。
【０１６３】
ＴＳ１３００ａは、ＳＤＴ１３０１ａにおける編成チャンネルに関する情報が定義される記述子１３２０で示されるように、編成チャンネルが“１”（ｓｅｒｖｉｃｅ＿ｉｄ＝１）、テレビ局名が“テレビ局Ａ”（ｓｅｒｖｉｃｅ＿ｐｒｏｖｉｄｅｒ＿ｎａｍｅ＝“テレビ局Ａ”）、及びチャンネル名が“サービス１”（ｓｅｒｖｉｃｅ＿ｎａｍｅ＝“サービス１”）で示される放送局から配信された番組のトランスポートストリームであることが分かる。
【０１６４】
また、ＴＳ１３００ｂは、ＳＤＴ１３０１ｂにおける編成チャンネルに関する情報が定義される記述子１３２５で示されるように、編成チャンネルが“２”（ｓｅｒｖｉｃｅ＿ｉｄ＝２）、テレビ局名が“テレビ局Ａ”（ｓｅｒｖｉｃｅ＿ｐｒｏｖｉｄｅｒ＿ｎａｍｅ＝“テレビ局Ａ”）、及びチャンネル名が“サービス２”（ｓｅｒｖｉｃｅ＿ｎａｍｅ＝“サービス２”）で示される放送局から配信された番組のトランスポートストリームであることが分かる。
【０１６５】
また、ＴＳ１３００ａとＴＳ１３００ｂとは、その生成と発生元が異なるため、ストリームＩＤ（ｔｒａｎｓｐｏｒｔ＿ｓｔｒｅａｍ＿ｉｄ）とネットワークＩＤ（ｏｒｉｇｉｎａｌ＿ｎｅｔｗｏｒｋ＿ｉｄ）が異なる。具体的には、図１９に示すように、ＴＳ１３００ａのストリームＩＤ１３１０及びネットワークＩＤ１３１１は、ｔｒａｎｓｐｏｒｔ＿ｓｔｒｅａｍ＿ｉｄ＝ｘ１とｏｒｉｇｉｎａｌ＿ｎｅｔｗｏｒｋ＿ｉｄ＝ｙ１と定義され、ＴＳ１３００ｂのストリームＩＤ１３１５及びネットワークＩＤ１３１６は、ｔｒａｎｓｐｏｒｔ＿ｓｔｒｅａｍ＿ｉｄ＝ｘ２とｏｒｉｇｉｎａｌ＿ｎｅｔｗｏｒｋ＿ｉｄ＝ｙ２と定義されている。すなわち、ｔｒａｎｓｐｏｒｔ＿ｓｔｒｅａｍ＿ｉｄとｏｒｉｇｉｎａｌ＿ｎｅｔｗｏｒｋ＿ｉｄの２つによってＴＳの所在はユニークに特定ができる。
【０１６６】
図２０は、ＴＳ１３００ａ及びＴＳ１３００ｂそれぞれに含まれるＥＩＴ１３０２ａ及びＥＩＴ１３０２ｂの記述内容の一例を示している。
【０１６７】
ＥＩＴ１３０２ａのイベントＩＤ１３３１では、ｅｖｅｎｔ＿ｉｄ＝１００と定義されており、ＥＩＴ１３０２ａが含まれるＴＳ１３００ａは、ｅｖｅｎｔ＿ｉｄ＝１００に対応する番組の映像・音声のストリームが含まれていることが分かる。
【０１６８】
また、ＥＩＴ１３０２ｂのイベントＩＤ１３４１では、ｅｖｅｎｔ＿ｉｄ＝２００と定義されており、ＥＩＴ１３０２ｂが含まれるＴＳ１３００ｂは、ｅｖｅｎｔ＿ｉｄ＝２００に対応する番組の映像・音声のストリームが含まれていることが分かる。さらに、ＥＩＴ１３０２ｂのコンテント記述子１３４３においてｅｖｅｎｔ＿ｉｄ＝２００に対応する番組が３Ｄ番組であることが分かる。
【０１６９】
ＴＳ１３００ａ及びＴＳ１３００ｂとは、サイマル放送に係るトランスポートストリームであるので、イベントグループ記述子１３３３及び１３４４により、互いに関連付けを行う。上記実施の形態と異なる点は、他方の編成チャンネルについてのｔｒａｎｓｐｏｒｔ＿ｓｔｒｅａｍ＿ｉｄとｏｒｉｇｉｎａｌ＿ｎｅｔｗｏｒｋ＿ｉｄが記述されることである。例えば、ＥＩＴ１３０２ａのイベントグループ記述子１３３３では、ｅｖｅｎｔ＿ｉｄ＝２００であるＴＳ１３００ｂについてのストリームＩＤとネットワークＩＤ（ここでは、ｔｒａｎｓｐｏｒｔ＿ｓｔｒｅａｍ＿ｉｄ＝ｘ２、ｏｒｉｇｉｎａｌ＿ｎｅｔｗｏｒｋ＿ｉｄ＝ｙ２）とが記述される。他の記述内容は、上記実施の形態で示したイベントグループ記述子３３３と同様である。逆に、ＥＩＴ１３０２ｂのイベントグループ記述子１３４４では、ｅｖｅｎｔ＿ｉｄ＝１００であるＴＳ１３００ａについてのストリームＩＤとネットワークＩＤ（ここでは、ｔｒａｎｓｐｏｒｔ＿ｓｔｒｅａｍ＿ｉｄ＝ｘ１、ｏｒｉｇｉｎａｌ＿ｎｅｔｗｏｒｋ＿ｉｄ＝ｙ１）とが記述される。他の記述内容は、上記実施の形態で示したイベントグループ記述子３４４と同様である。
【０１７０】
このように、イベントグループ記述子にストリームＩＤとネットワークＩＤを追加するのは、以下の理由による。
【０１７１】
本変形例では、異なるＴＳに編成チャンネルが分かれて含まれていることから、参照情報としては、編成チャンネルＩＤ（ｓｅｒｖｉｃｅ＿ｉｄ）と番組ＩＤ（ｅｖｅｎｔ＿ｉｄ）に加えて、ＴＳを特定するためのｔｒａｎｓｐｏｒｔ＿ｓｔｒｅａｍ＿ｉｄとｏｒｉｇｉｎａｌ＿ｎｅｔｗｏｒｋ＿ｉｄが必要となるからである。これら情報を追加することで、互いのサイマル放送番組を特定することができるようになる。
【０１７２】
また、切替情報記述子１３３５、１３４６により、切替の可否を判断することができる。
【０１７３】
ＴＳ１３００ｂに含まれるＰＭＴ１３０４ｂには、上記実施の形態で示したＰＭＴ３０４と同様に、当該ＴＳ１３００ｂに含まれる３Ｄ映像の再生方式が記載されている。
【０１７４】
以上のように、サイマル放送に係る各番組が個別のＴＳで配信される場合であっても、番組情報であるＥＩＴ内にサイマル放送番組を関連付ける情報を追加することで、サイマル放送番組の特定及び切替の可否を判断することができる。
【０１７５】
なお、サイマル放送番組が１つのＴＳに含まれるときと、異なる２つのＴＳに分かれて含まれる場合では互いの番組情報への参照情報が異なることから、イベントグループ記述子で定義されるｇｒｏｕｐ＿ｔｙｐｅは異なる値が定義されてもよい。
【０１７６】
また、図２０では、切替情報記述子１３３５、１３４６では、ｔｉｍｅとｄｕｒａｔｉｏｎの組を切替情報としたが、ｔｉｍｅとｖａｌｉｄｉｔｙ＿ｆｌａｇとの組を切替情報として切替情報記述子１３３５、１３４６に記載してもよい。
【０１７７】
２．８  その他の変形例
また、上記各実施の形態などに限らず、例えば、以下のような変形例が考えられる。
【０１７８】
（１）上記実施の形態では、受信再生装置の一例としてデジタルテレビであるとしたが、これに限定されない。受信再生装置は、ＤＶＤレコーダ、ＢＤ（Ｂｌｕ−ｒａｙ  Ｄｉｓｃ）レコーダやセットトップボックス等、トランスポートストリームを受信し、再生する装置であればよい。
【０１７９】
（２）上記実施の形態において、３Ｄ再生方式は、ＰＭＴに記載されるとしたが、これに限定されない。
【０１８０】
３Ｄ再生方式は、ＥＩＴのコンポーネント記述子に記載してもよい。
【０１８１】
（３）上記実施の形態において、図１０に示す受信再生装置２００の動作は、一例であり、同図に示す動作に限定されない。
【０１８２】
例えば、図１０に示すステップＳ１１０において、受信再生装置２００が２Ｄサイマル放送が存在すると判断した場合（ステップＳ１１０における「Ｙｅｓ」）、ステップＳ１１５を実行する前に、現在視聴中の３Ｄ番組の３Ｄ再生方式がＭＶＣであるか否かを判断する。ＭＶＣであると判断する場合には、受信再生装置２００は、ステップＳ１３０を実行する。ＭＶＣでないと判断する場合には、受信再生装置は、ステップＳ１１５を実施する。
【０１８３】
または、２Ｄサイマル放送の有無を判断する前に、３Ｄ再生方式がＭＶＣであるかＳＢＳであるかを判断してもよい。この場合の流れ図を図２１に示す。
【０１８４】
ステップＳ２００及びＳ２０５は、図１０に示すステップＳ１００及びＳ１０５と同様であるので、ここでの説明は省略する。
【０１８５】
切替先が２Ｄ番組であると判断する場合（ステップＳ２０５における「２Ｄ」）、２Ｄ／３Ｄ切替部２１３は、３Ｄ番組の再生方式を判断、つまり再生方式がＳＢＳ方式であるかＭＶＣ方式であるかを判断する（ステップＳ２１０）。
【０１８６】
２Ｄ／３Ｄ切替部２１３で３Ｄの再生方式がＭＶＣであると判断される場合（ステップＳ２１０における「ＭＶＣ」）、再生処理部２０９は、３Ｄ用ビデオストリームに含まれるＢａｓｅＶｉｅｗの各映像を２Ｄ映像として再生する（ステップＳ２３５）。再生に係る具体的な動作は、図１０に示すステップＳ１３０の動作と同様であるので、ここでの説明は省略する。
【０１８７】
ＳＢＳ方式であると判断する場合（ステップＳ２１０における「ＳＢＳ」）、２Ｄ／３Ｄ切替部２１３は、２Ｄ番組のサイマル放送が存在するか否かを判断する（ステップＳ２１５）。
【０１８８】
２Ｄ番組のサイマル放送が存在すると判断する場合（ステップＳ２１５における「Ｙｅｓ」）、２Ｄ／３Ｄ切替部２１３は、現時点で３Ｄ番組から２Ｄ番組への切り替えが可能であるか否かを判断する（ステップＳ２２０）。
【０１８９】
２Ｄ／３Ｄ切替部２１３で切替可能と判断される場合（ステップＳ２２０における「Ｙｅｓ」）、再生処理部２０９は、再生対象を３Ｄ用ビデオストリームから２Ｄ用ビデオストリームへと変更し、２Ｄ番組の再生を行う（ステップＳ２２５）。再生に係る具体的な動作は、図１０に示すステップＳ１２０の動作と同様であるので、ここでの説明は省略する。
【０１９０】
２Ｄ番組のサイマル放送が存在しないと判断する場合（ステップＳ２１５における「Ｎｏ」）、及び切替不可と判断される場合（ステップＳ２２０における「Ｎｏ」）、再生処理部２０９は、３Ｄ用ビデオストリームに含まれるサイドバイサイドからなるフレーム映像のうち左目映像部分を抽出し、２Ｄ映像として再生する（ステップＳ２３０）。再生に係る具体的な動作は、図１０に示すステップＳ１３５の動作と同様であるので、ここでの説明は省略する。
【０１９１】
ステップＳ２３８からステップＳ２６０までの動作については、図１０で示すステップＳ１３８からステップＳ１６０までの動作と同様であるので、ここでの説明は省略する。
【０１９２】
（４）上記実施の形態において、サイマル放送の関係にある２つ以上の番組の関連付け及び切替の可否の記載を、イベントグループ記述子を用いて行ったが、これに限定されない。
【０１９３】
サイマル放送の関係にある２つ以上の番組を関連付けるものとして新たな構造の記述子を利用してもよい。
【０１９４】
（５）上記実施の形態では、放送波としてサイマル放送を配信する際における２Ｄ番組と３Ｄ番組との関連付及び切替可否の記述を行ったが、これに限定されない。
【０１９５】
放送波として配信されるサイマル放送だけでなく、ＰＣ（Ｐｅｒｓｏｎａｌ  ｃｏｍｐｕｔｅｒ）による配信、ＩＰ（Ｉｎｔｅｒｎｅｔ  Ｐｒｏｔｏｃｏｌ）放送、及びＶＯＤ（Ｖｉｄｅｏ  ＯＮ  Ｄｅｍａｎｄ）によるサイマル放送について、２Ｄ番組と３Ｄ番組との関連付け及び切替可否の記述を行ってもよい。
【０１９６】
この場合の関連付け方法として、番組が格納されている場所を示すＵＲＬ（Ｕｎｉｆｏｒｍ  Ｒｅｓｏｕｒｃｅ  Ｌｏｃａｔｏｒ）を用いる。切替の可否の情報については、上記実施の形態と同様の記述となる。
【０１９７】
当該ＵＲＬ及び切替可否の情報は、番組が配信されるストリーム中に、当該番組とともに記述されてもよいし、番組表を構成するファイルに記述されてもよい。
【０１９８】
または、ＵＲＬやイベントグループ記述子を利用して、放送、ＰＣ（Ｐｅｒｓｏｎａｌ  ｃｏｍｐｕｔｅｒ）による配信、ＩＰ（Ｉｎｔｅｒｎｅｔ  Ｐｒｏｔｏｃｏｌ）放送、及びＶＯＤ（Ｖｉｄｅｏ  ＯＮ  Ｄｅｍａｎｄ）といった異なる配信形態間で番組の関連付け、及び表示態様（視聴形態）の切り替えを行ってもよい。
【０１９９】
（６）上記実施の形態において、ＥＩＴ３０２、３０３の生成、特にイベントグループ記述子３３３、３４４の生成は、例えば、ＥＩＴを生成する装置（送信装置１００又は外部の装置）において、パラメータ変数として、“ｇｒｏｕｐ＿ｔｙｐｅ”、“ｓｅｒｖｉｃｅ＿ｉｄ”及び“ｅｖｅｎｔ＿ｉｄ”を予め記憶しておき、これらパラメータ変数に対する情報をユーザから受け付けることで行ってもよい。また、上記生成の方法は、一例であり他の方法であってもよい。
【０２００】
なお、イベントグループ記述子３３３、３４４に記載内容以外は、従来の記載内容となんら変更はないため、説明は省略する。
【０２０１】
（７）本実施の形態では、２Ｄ放送方式と３Ｄ放送方式とのサイマル放送を想定しているが、本発明が適用されるのは、どのような組み合わせの放送方式でのサイマル放送であってもよい。
【０２０２】
例えば、新しい放送方式が運用されるときに、現行の放送方式で継続視聴する視聴者に対して、映像品質を落とすことなく後方互換性を保ってサービスを提供する場合である。
【０２０３】
今後提供が期待されるものとしては、現行方式の映像解像度であるＦｕｌｌ ＨＤ(１９２０×１０８０)に対して、それを上回るより高画質高精細な４Ｋ２Ｋ解像度や８Ｋ４Ｋ解像度の映像サービスを提供するものがある。
【０２０４】
この場合、２Ｄ方式／３Ｄ方式のサイマル放送の場合と同じようにして、Ｆｕｌｌ ＨＤ方式／４Ｋ２Ｋ方式のサイマル放送、あるいは、Ｆｕｌｌ ＨＤ方式／８Ｋ４Ｋ方式のサイマル放送が運用される可能性がある。このとき、本発明における３Ｄ番組が４Ｋ２Ｋ方式のよる番組に置き換えられたとしてもなんらその作用、効果に変わりはなく、後方互換性を確保する手段として有効である。
【０２０５】
例えば、番組を録画する場合において、ダイレクトレコーディング（ＤＲ）の場合はそのまま４Ｋの映像を記録すればよいが、記録領域の残量、記録先メディアのフォーマットによって４Ｋでは対応しないとき、４Ｋをダウンコンバートするのではなく、代わりにＦｕｌｌ  ＨＤを記録する。この場合、録画機能部を有する受信再生装置において、録画機能部は、ダイレクトレコーディングによる録画が不可であると判断すると、録画対象となる映像の表示態様を４ＫからＦｕｌｌ  ＨＤへ切り替える旨の切替指示を、番組情報管理部へ出力する。番組情報管理部は、サイマル放送としてＦｕｌｌ  ＨＤによる番組が放送されると判断すると、録画対象と４Ｋから２Ｋへと切り替える。これにより、受信再生装置は、ダウンコンバートによる画質劣化や演算コストを軽減できる。
【０２０６】
または、４Ｋ対応ＳＴＢチューナが放送を受信して、４Ｋ非対応のデジタルテレビで視聴する場合、テレビではなくＳＴＢチューナに切替え機能がついていてもよい。この場合、ＳＴＢチューナがデジタルテレビのＰｒｅｆｅｒｅｎｃｅを見て、４Ｋを送るか、Ｆｕｌｌ ＨＤを送るか自動切替してもよい。
【０２０７】
一方、４Ｋ対応のデジタルテレビで視聴する視聴者は、４Ｋ解像度での映像視聴が可能であるが、４Ｋ映像放送の開始初期の段階においては、４Ｋ映像放送の番組が限られており、通常の番組編成においてはＦｕｌｌ  ＨＤ放送であることが考えられる。このとき、視聴者は４Ｋ映像が視聴可能であっても、気づかずにＦｕｌｌ  ＨＤの番組編成のままで視聴し続けることもあり得る。そこで、４Ｋ対応のデジタルテレビは、視聴者に向けて４Ｋ映像への切り替えを促すような表示を行うとともに、視聴者が４Ｋ映像での視聴を所望したならば、４Ｋ２Ｋ方式のサイマル放送が存在するときサイマル放送への切り替えを行えばよい。
【０２０８】
また、例えば、Ｆｕｌｌ ＨＤ方式／４Ｋ２Ｋ方式のサイマル放送において、Ｆｕｌｌ ＨＤ方式による番組と、４Ｋ２Ｋ方式による番組との間で一部シーンが異なる場合にそのシーン間で切替を許可する旨の切替情報、例えばｔｉｍｅとｄｕｒａｔｉｏｎとの組又はｔｉｍｅとｖａｌｉｄｉｔｙ＿ｆｌａｇとの組を、切替情報記述子に記載してもよい。
【０２０９】
（８）上記実施の形態において、解像度がＨａｌｆ  ＨＤとなる３Ｄ映像の一例としてＳＢＳ方式を用いたが、解像度がＨａｌｆ  ＨＤとなる３Ｄ映像はこれに限定されない。例えば、左目用映像と右目用映像をそれぞれ垂直方向に１／２に圧縮した映像を２つ縦に並べる方式であるトップアンドボトム方式であってもよい。
【０２１０】
また、２Ｄ再生との互換性のある方式としてＭＶＣを用いたが、２Ｄ再生との互換性のある方式はこれに限定されない。例えば、ＭＰＥＧ２形式により生成されたデュアルストリームであってもよい。デュアルストリームとは、互いに独立した左目用のストリームと右目用のストリームとからなるものである。
【０２１１】
（９）上記実施の形態において、２Ｄ／３Ｄ切替部２１３は、現在視聴中の番組に対する現在時刻における２Ｄ／３Ｄ切替え可否の状態を保持していてもよい。この場合、２Ｄ／３Ｄ切替部２１３は、ユーザからの「切替指示」を受け付けるごとに、番組情報ＤＢ２１２に当該番組のサイマル放送への切替の可否を問合せる代わりに、一度現在再生中の番組の切替の可否の状態を番組情報ＤＢ２１２から取得していれば、それをメモリに保持しておき、次回の操作指示の際は保持しておいた切替え可否の状態を参照することにより処理時間を短縮することが可能である。
【０２１２】
（１０）上記で示す切替可否情報のデータ構造は一例であり、サイマル放送への切り替え可否を判断することができる必要十分な情報が番組情報に記載されるものである限りどのようなデータ構造であってもよく、上記に示すものだけに限定するものではない。
【０２１３】
例えば、上記実施の形態では、切替可否の判断には、サイマル放送で互いに切替え可能な同じシーンを含む箇所を示す情報を用いたが、逆に互いに映像が異なるシーンであることを示す情報を用いてもよい。映像が異なるシーンである区間を示すことによって、各々の番組で固有のシーンが存在する箇所を抽出することに利用できる。
【０２１４】
（１１）図１４において、第三の区間においては、切替不可とした。しかしながら、共通内容シーン（ここでは、シーンＣ）の放送時刻が早い方の番組（図１４では２Ｄ番組）から放送時刻が遅い方の番組（図１４では３Ｄ番組）へ切り替えを行う場合に限っては、切替指示を受け付けた時点で、切替先の番組において同一シーンの放送が未だされていないときには、ユーザに許容される範囲の放送時間をシフトすることを許すことによって、表示態様（視聴形態）の切り替えを許可してもよい。
【０２１５】
放送時刻の遅い番組チャンネルから早いほうのチャンネルに切り替える、例えば３Ｄ番組から２Ｄ番組への切り替えるとき、切り替え後のチャンネルにおいて、視聴者が未視聴の内容が既に放送された後となり、視聴者が視聴することができないシーンが生じる不便がおきるため、切り替えることは避けるべきである。
【０２１６】
しかしながら、放送時刻の早いチャンネル（２Ｄ番組）から遅いチャンネル（３Ｄ番組）へ切り替える場合は、切替え後のチャンネルにおいて、視聴者が既に前チャンネルにて視聴したシーンを再度視聴することになるが、未視聴のシーンを見逃すことはないため、切り替えが可能である。
【０２１７】
図２２、及び図２３において、この場合における切替可能区間の指定の一例を示す。
【０２１８】
図２２は、切替可能区間として、ｔｉｍｅとｄｕｒａｔｉｏｎとの組を用いた場合における指定の一例を示している。
【０２１９】
シーンＡについては、２Ｄ番組及び３Ｄ番組とも内容が共通であり、放送時刻も同一である。そのため、図４に示す２Ｄ番組に対応するＥＩＴ３０２に含まれる切替情報記述子３３５には、切替先である３Ｄ番組についてのｔｉｍｅ［０’］とｄｕｒａｔｉｏｎ［０’］との組が記載され、３Ｄ番組に対応するＥＩＴ３０３に含まれる切替情報記述子３４６には、切替先である２Ｄ番組についてのｔｉｍｅ［０］とｄｕｒａｔｉｏｎ［０］との組が記載される。また、シーンＣにおいては、放送時刻の早い２Ｄ番組から３Ｄ番組への切り替えは可能であるので、切替情報記述子３３５には、さらに、切替先である３Ｄ番組についてのｔｉｍｅ［１’］とｄｕｒａｔｉｏｎ［１’］との組が記載される。
【０２２０】
図２３は、切替可能区間として、ｔｉｍｅとｖａｌｉｄｉｔｙ＿ｆｌａｇとの組を用いた場合における指定の一例を示している。
【０２２１】
シーンＡについては、２Ｄ番組及び３Ｄ番組とも内容が共通であり、放送時刻も同一である。そのため、図４に示す２Ｄ番組に対応するＥＩＴ３０２に含まれる切替情報記述子３３５には、切替先である３Ｄ番組についてのｔｉｍｅ［０’］とｖａｌｉｄｉｔｙ＿ｆｌａｇ［０’］（＝１）との組が記載され、３Ｄ番組に対応するＥＩＴ３０３に含まれる切替情報記述子３４６には、切替先である２Ｄ番組についてのｔｉｍｅ［０］とｖａｌｉｄｉｔｙ＿ｆｌａｇ［０］（＝１）との組が記載される。また、シーンＣにおいては、放送時刻の早い２Ｄ番組から３Ｄ番組への切り替えは可能であるので、切替情報記述子３３５には、さらに、切替先である３Ｄ番組についてのｔｉｍｅ［１’］とｖａｌｉｄｉｔｙ＿ｆｌａｇ［１’］（＝１）との組が記載される。
【０２２２】
（１２）上記実施の形態において、受信再生装置２００は、サイマル放送に一方の番組から他方の番組への切り替える場合、例えば２Ｄ番組から３Ｄ番組に切り替え又は３Ｄ番組から２Ｄ番組への切り替える場合、サイマル放送の他方の番組に切り替える旨のメッセージを表示してもよい。
【０２２３】
これにより、ユーザは、現在視聴中に番組のチャンネルからサイマル放送における他方の番組のチャンネルへと、チャンネルそのものが切り替えられることを認識することができる。
【０２２４】
（１３）上記実施の形態において、受信再生装置２００は、表示態様（視聴形態）の切替が不可である場合には、現在視聴中の番組に対するビデオストリームを用いてユーザの所望する表示態様となるよう再生処理を行ったが、これに限定されない。
【０２２５】
受信再生装置２００は、表示態様の切替が不可である場合には、視聴中の番組に対するビデオストリームを用いて現在の表示態様を継続してもよい。
【０２２６】
（１４）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０２２７】
（１５）上記の各装置を構成する構成要素の一部または全部は、１個の集積回路から構成されているとしてもよい。
【０２２８】
（１６）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。
【０２２９】
（１７）上記の実施の形態及び変形例で説明した手法の手順を記述したプログラムをメモリに記憶しておき、ＣＰＵ（Ｃｅｎｔｒａｌ  Ｐｒｏｃｅｓｓｉｎｇ  Ｕｎｉｔ）などがメモリからプログラムを読み出して、読み出したプログラムを実行することによって、上記の手法が実現されるようにしてもよい。
【０２３０】
また、当該手法の手順を記述したプログラムを記録媒体に格納して、頒布するようにしてもよい。なお、上記プログラムを記憶する媒体としては、例えば、ＩＣカード、ハードディスク、光ディスク、フレキシブルディスク、ＲＯＭ、フラッシュメモリ等がある。
【０２３１】
（１８）上記実施の形態及び上記変形例をそれぞれ組み合わせるとしてもよい。
【０２３２】
２．９  まとめ
近年、デジタルテレビ放送において３Ｄ番組の放送が拡大しつつあるが、３Ｄの視聴環境が整っていないデジタルテレビでは、ユーザ操作により視聴すべき番組として３Ｄ番組が選択された場合、３Ｄ番組として放送された各映像を２Ｄ表示のよる再生を行うこととなる。
【０２３３】
そこで、同一の番組内容に対して、２Ｄ再生と３Ｄ再生の両方をサポートすることが要件として求められる。このとき、２Ｄ表示する際には、Ｆｕｌｌ  ＨＤの映像として再生するのが望ましい。そのため、放送局側（送信装置側）では、上記実施の形態で示すように、同一の番組内容に対して２Ｄ再生用の番組と３Ｄ再生用の番組の２つの番組をサイマル放送により放送することが考えられる。
【０２３４】
そこで、受信再生装置側では、編成チャンネル上において３Ｄ放送と同じ番組を２Ｄ番組として同時放送（サイマル放送）されていれば、例えば２Ｄ映像の視聴から３Ｄ映像の視聴へと切り替えたい場合や３Ｄ映像の視聴から２Ｄ映像の視聴へと切り替えたい場合において、サイマル放送における２Ｄ番組又は３Ｄ番組に切替えて視聴再生すればよい。
【０２３５】
ところで、ユーザ操作によってサイマル放送のチャンネルに切り替えを行う場合、切り替え後の放送内容が切り替え前のそれと比較して（２Ｄと３Ｄの違いを除いては）同じであるべきである。そのため、ユーザ操作によって２Ｄ／３Ｄ切替えを行うにあたって、切替えた先のサイマル放送において同じ内容が放送されていることを保証する情報が必要となる。
【０２３６】
しかしながら、２Ｄ映像と３Ｄ映像とでは、視点が異なるため、２Ｄ番組及び３Ｄ番組において、全ての映像が同一であるとは限らない。
【０２３７】
そこで、上記実施の形態で示したように、サイマル放送による２Ｄ番組及び３Ｄ番組において、ユーザから表示態様の切替要求があった場合には切替可否情報を用いることで、受信再生装置は、番組そのものの自動切替の可否を判別することができる。
【０２３８】
３．補足
（１）本発明の一態様である、受信再生装置は、第１表示態様で再生されている番組について、表示態様を前記第１表示態様から第２表示態様へ変更することを示す変更指示を受け付ける受付手段と、前記番組について再生対象となるストリームを、第１表示態様に対応する第１のストリームから前記第２表示態様に対応する第２のストリームへ切り替えることの許否を示す切替許否情報を受信する受信手段と、前記受付手段が前記変更指示を受け付けると、前記切替許否情報を用いて前記第１表示態様から前記第２表示態様への切り替えの許否を判断する判断手段と、前記判断手段で切り替えを許可すると判断される場合には再生対象のストリームを前記第１のストリームから前記第２のストリームへと切り替えて再生を行い、前記判断手段で切り替えを許可しないと判断される場合には前記第１のストリームを用いた再生を行う再生処理手段とを備えることを特徴とする。
【０２３９】
この構成によると、受信再生装置は、第１表示態様から第２表示態様への切り替えが許可される場合に、表示態様を第１表示態様から第２表示態様へと切り替えるので、一の番組について視聴者が所望する表示態様に応じた再生を行うことができる。
なお、受付手段は上記実施の形態における２Ｄ／３Ｄ切替部２１３が切替指示を受け付ける機能に相当し、判断手段は２Ｄ／３Ｄ切替部２１３が切り替えの可否を判断する機能に相当する。また、上記実施の形態における切替可否とは切り替えてもよいか否かを意味するものである。つまり、上記実施の形態の切替可否情報は、ユーザ操作により受け付けた切替指示に対して表示態様を切り替えてもよいか否かを、つまりは切替指示に対して表示態様の切り替えを許可するか否かを示す情報（上記の切替許否情報）と同等である。
【０２４０】
（２）ここで、前記第１のストリームは、ＭＰＥＧ２−ＴＳ（Ｍｏｖｉｎｇ  Ｐｉｃｔｕｒｅ  Ｅｘｐｅｒｔｓ  Ｇｒｏｕｐ  ２−Ｔｒａｎｓｐｏｒｔ  Ｓｔｒｅａｍ）形式のデータストリームであり、前記切替許否情報は、前記第１のストリームに対応するＥＩＴ（Ｅｖｅｎｔ  Ｉｎｆｏｒｍａｔｉｏｎ  Ｔａｂｌｅ）に記載されており、前記判断手段は、前記ＥＩＴから前記切替許否情報を取得して、前記判断を行うとしてもよい。
【０２４１】
この構成によると、切替許否情報はＥＩＴに記載されているので、受信再生装置は、第１のストリームから第２のストリームへ切り替えることをユーザに意識させることなく、行うことができる。
【０２４２】
（３）ここで、前記第１表示態様は、３Ｄによる表示態様であり、前記第２表示態様は、２Ｄによる表示態様であり、前記第１のストリームは３Ｄ映像のストリームであり、前記第２のストリームは２Ｄ映像のストリームであり、前記再生処理手段は、前記判断手段で前記第１表示態様から前記第２表示態様への切り替えを許可すると判断される場合には前記２Ｄ映像のストリームを用いた再生を行い、前記判断手段で切り替えを許可しないと判断される場合には前記３Ｄ映像のストリームを用いて２Ｄ表示するよう再生を行うとしてもよい。
【０２４３】
この構成によると、受信再生装置は、変更後の表示態様に対応する２Ｄ映像のストリームが存在しない場合であっても、３Ｄ映像のストリームを用いて２Ｄ表示するので、一の番組について視聴者が所望する表示態様に応じた再生を行うことができる。
【０２４４】
（４）ここで、前記第１表示態様は、２Ｄによる表示態様であり、前記第２表示態様は、３Ｄによる表示態様であり、前記第１のストリームは２Ｄ映像のストリームであり、前記第２のストリームは３Ｄ映像のストリームであり、前記再生処理手段は、前記判断手段で前記第１表示態様から前記第２表示態様への切り替えを許可すると判断される場合には前記３Ｄ映像のストリームを用いた再生を行い、前記判断手段で切り替えを許可しないと判断される場合には前記２Ｄ映像のストリームを用いて３Ｄ表示するよう再生を行うとしてもよい。
【０２４５】
この構成によると、受信再生装置は、サイマル放送による３Ｄ映像のストリームが存在しない場合であっても、２Ｄ映像のストリームを用いて３Ｄ表示するので、一の番組について視聴者が所望する表示態様に応じた再生を行うことができる。
【０２４６】
（５）ここで、前記第１の表示態様は、第１の解像度による映像の表示態様であり、前記第２の表示態様は、解像度が前記第１の解像度よりも低い第２の解像度による映像の表示態様であり、前記再生処理手段は、前記判断手段で前記第１表示態様から前記第２表示態様への切り替えを許可すると判断される場合には前記第２の解像度に対応する前記第２のストリームを用いた再生を行い、前記判断手段で切り替えを許可しないと判断される場合には前記第１の解像度に対応する前記第１のストリームを用いた再生を行うとしてもよい。
【０２４７】
この構成によると、受信再生装置は、一の番組について視聴者が所望する、現在再生中の解像度よりも低い解像度の映像の再生を行うことができる。
【０２４８】
（６）ここで、前記受信再生装置は、さらに、番組を録画する録画手段を備え、前記録画手段は、前記第１の解像度による映像の録画が不可である場合であって、前記判断手段で前記第１表示態様から前記第２表示態様への切り替えを許可すると判断される場合には、前記第２の解像度による映像の録画を行うとしてもよい。
【０２４９】
この構成によると、受信再生装置は、高解像度の映像の録画が不可である場合には、当該映像の解像度よりも低い解像度による映像の録画を行うことができる。これにより、受信再生装置は、高解像度の映像についてダウンコンバートを行う必要がないので、ダウンコンバートによる画質劣化や演算コストを軽減できる。
【０２５０】
（７）ここで、前記第１の表示態様は、第１の解像度による映像の表示態様であり、前記第２の表示態様は、解像度が前記第１の解像度よりも高い第２の解像度による映像の表示態様であり、前記再生処理手段は、前記判断手段で前記第１表示態様から前記第２表示態様への切り替えを許可すると判断される場合には前記第２の解像度に対応する前記第２のストリームを用いた再生を行い、前記判断手段で切り替えを許可しないと判断される場合には前記第１の解像度に対応する前記第１のストリームを用いた再生を行うとしてもよい。
【０２５１】
この構成によると、受信再生装置は、一の番組について視聴者が所望する、現在再生中の解像度よりも高い解像度の映像の再生を行うことができる。
【０２５２】
（８）ここで、前記第２のストリームで形成される前記番組は複数のブロックに分割されており、前記切替許否情報は、前記複数のブロックそれぞれについて当該ブロックの期間が表された期間情報のうち、少なくとも１つの期間情報を含んでおり、前記判断手段は、前記変更指示が受け付けられた時間が前記切替許否情報に含まれる期間情報で表される期間に属するか否かを判断し、属すると判断する場合には切り替えを許可すると、属しないと判断する場合には切り替えを許可しないと判断するとしてもよい。
【０２５３】
この構成によると、受信再生装置は、切替先の第２のストリームで形成される番組について、分割されたブロックに応じて、切り替えの許否を判断することができる。
【０２５４】
（９）また、本発明の一態様である、送信装置は、一の番組について受信側で再生対象となるストリームを、第１表示態様に対応する第１のストリームから第２表示態様に対応する第２のストリームへの切り替えることの許否を示す切替許否情報を保持している保持手段と、前記切替許否情報を送信する送信手段とを備えることを特徴とする。
【０２５５】
この構成によると、送信装置は、第１のストリームから第２のストリームへの切り替えの許否を示す切替許否情報を送信するので、受信側では、切替許否情報を用いて切り替えの許否を判断することができるので、一の番組について視聴者が所望する表示態様に応じた再生を行うことができる。
【０２５６】
（１０）ここで、前記第１のストリームは、ＭＰＥＧ２−ＴＳ（Ｍｏｖｉｎｇ  Ｐｉｃｔｕｒｅ  Ｅｘｐｅｒｔｓ  Ｇｒｏｕｐ  ２−Ｔｒａｎｓｐｏｒｔ  Ｓｔｒｅａｍ）形式のストリームであり、前記保持手段は、前記切替許否情報が記載された、前記第１のストリームに対応するＥＩＴ（Ｅｖｅｎｔ  Ｉｎｆｏｒｍａｔｉｏｎ  Ｔａｂｌｅ）を保持し、前記送信手段は、前記第１のストリームと、前記ＥＩＴとが少なくとも多重化されたデータストリームを送信するとしてもよい。
【０２５７】
この構成によると、送信装置は、切替許否情報が記載されたＥＩＴを送信するので、受信側では、第１のストリームから第２のストリームへ切り替えることをユーザに意識させることなく、行うことができる。
【産業上の利用可能性】
【０２５８】
本発明は、第１表示態様に対応する第１のストリームの再生及び第２表示態様に対応する第２のストリームの再生を行う受信再生装置、及び第１のストリームと第２のストリームとによる同一の番組を送信する送信装置に適用することができる。
【符号の説明】
【０２５９】
１０    番組配信システム
１００    送信装置
１０１    ３Ｄ用ビデオエンコーダ
１０２    ２Ｄ用ビデオエンコーダ
１０３    オーディオエンコーダ
１０４    ３Ｄ用ビデオストリーム格納部
１０５    ２Ｄ用ビデオストリーム格納部
１０６    オーディオストリーム格納部
１０７    多重化部
１０８    送信部
１０９    番組配列情報格納部
２００    受信再生装置（デジタルテレビ）
２０１    チューナ
２０２    多重分離部
２０３    番組情報管理部
２０５    映像デコード部
２０６    音声デコード部
２０７    映像表示処理部
２０８    表示部
２０９    再生処理部
２１１    ＰＳＩ／ＳＩ解析部
２１２    番組情報ＤＢ
２１３    ２Ｄ／３Ｄ切替部
【図１】
0005956441.tif 000002
【図２】
0005956441.tif 000003
【図３】
0005956441.tif 000004
【図４】
0005956441.tif 000005
【図５】
0005956441.tif 000006
【図６】
0005956441.tif 000007
【図７】
0005956441.tif 000008
【図８】
0005956441.tif 000009
【図９】
0005956441.tif 000010
【図１０】
0005956441.tif 000011
【図１１】
0005956441.tif 000012
【図１２】
0005956441.tif 000013
【図１３】
0005956441.tif 000014
【図１４】
0005956441.tif 000015
【図１５】
0005956441.tif 000016
【図１６】
0005956441.tif 000017
【図１７】
0005956441.tif 000018
【図１８】
0005956441.tif 000019
【図１９】
0005956441.tif 000020
【図２０】
0005956441.tif 000021
【図２１】
0005956441.tif 000022
【図２２】
0005956441.tif 000023
【図２３】
0005956441.tif 000024